(57)【特許請求の範囲】
【請求項１】
予め設定された条件を満たす場合に、自装置の少なくとも一部への電力の供給をオフにするオートシャットダウン機能を有する電源制御手段と、
外部装置と通信を行う通信手段と、
自装置の処理モードが、前記通信手段を用いて前記外部装置からの遠隔操作を受けることが可能な処理モードであるか、前記外部装置からの遠隔操作を受けることが不可能な処理モードであるかを判別するモード判別手段とを有し、
前記モード判別手段により、前記外部装置からの遠隔操作が不可能な処理モードであると判別された場合、前記電源制御手段は前記オートシャットダウン機能を有効とし、前記外部装置からの遠隔操作を受けることが可能な処理モードであると判別された場合、前記電源制御手段は前記オートシャットダウン機能を無効とすることを特徴とする撮像装置。
【請求項２】
前記外部装置からの遠隔操作が不可能な処理モードには、前記撮像装置が前記外部装置と通信して動作する処理モードが含まれることを特徴とする請求項１に記載の撮像装置。
【請求項３】
前記外部装置からの遠隔操作が不可能な処理モードには、前記撮像装置の操作手段から入力される撮像の指示に応じて前記撮像装置が撮像を実行し、当該撮像により得られた画像データを前記外部装置に送信する処理モードが含まれることを特徴とする請求項２に記載の撮像装置。
【請求項４】
前記外部装置からの遠隔操作が不可能な処理モードには、再生モード、動画モード及び撮影モードの少なくとも１つの処理モードが含まれることを特徴とする請求項１乃至３のいずれか一項に記載の撮像装置。
【請求項５】
前記通信手段により前記外部装置に送信する画像データを一時的に記憶する記憶手段をさらに有し、
前記電源制御手段は、前記オートシャットダウン機能を実行する際に前記記憶手段に画像データが残っている場合には、前記記憶手段に残っている画像データを前記通信手段を用いて前記外部装置に転送し、転送が完了した後に前記オートシャットダウン機能を実行することを特徴とする請求項１乃至４のいずれか１項に記載の撮像装置。
【請求項６】
外部装置と通信を行う通信手段と、予め設定された条件を満たす場合に、自装置の少なくとも一部への電力の供給をオフにするオートシャットダウン機能を有する電源制御手段とを備える撮像装置の制御方法であって、
自装置の処理モードが、前記通信手段を用いて前記外部装置からの遠隔操作を受けることが可能な処理モードであるか、前記外部装置からの遠隔操作を受けることが不可能な処理モードであるかを判別するモード判別工程と、
前記モード判別工程により、前記外部装置からの遠隔操作が不可能な処理モードであると判別された場合、前記電源制御手段における前記オートシャットダウン機能を有効とし、前記外部装置からの遠隔操作を受けることが可能な処理モードであると判別された場合、前記電源制御手段における前記オートシャットダウン機能を無効とする電源制御工程と、
を含むことを特徴とする撮像装置の制御方法。
【請求項７】
請求項６に記載の撮像装置の制御方法の各工程をコンピュータに実行させるためのプログラム。
【発明の詳細な説明】
【技術分野】
【０００１】
本発明は、他の画像処理装置に接続して使用するデジタルカメラや携帯情報端末等の撮像装置及びその制御方法に関する。
【背景技術】
【０００２】
従来のデジタルカメラや携帯情報端末などの撮像装置には、電池の浪費を防ぐため、一定時間操作がされないと自動的に電源が切れる機能（以下「オートシャットダウン」という。）を採用したものがある。しかし、オートシャットダウンを採用した撮像装置がパソコン等の外部画像処理装置から遠隔操作される場合、撮像装置のボタンが押されないために遠隔操作中にオートシャットダウンしてしまうという問題があった。
【０００３】
この問題に対処するため、撮像装置から外部画像処理装置に対して電源を切断する旨の通知を行い、外部画像処理装置が許可するまで電源を切断しないようにする技術がある（特許文献１を参照）。また、単に撮像装置を遠隔操作可能な外部画像処理装置と接続されている場合に撮像装置のオートシャットダウンを行わない技術がある（非特許文献１を参照）。
【特許文献１】特開２００２−９１６３０号公報
【非特許文献１】“IXY DIGITAL ５００/４５０ カメラユーザーガイド”、[online]、キヤノン株式会社、インターネット（ＵＲＬ：http://cweb.canon.jp/manual/digitalcamera/pd/ixyd500d450.pdf）
【発明の開示】
【発明が解決しようとする課題】
【０００４】
しかしながら、特許文献１では、シャットダウンに関する通知を撮像装置から外部画像処理装置に対して行い、前記通知に対する応答によって撮像装置のシャットダウン動作を制御している。そのため、撮像装置及び外部画像処理装置の双方にシャットダウンに関する通信処理を行う機構が必要であった。その結果、撮像装置がシャットダウンに関する通信処理に対応していても、撮像装置の遠隔操作を行う外部画像処理装置上のアプリケーションが同通信処理に対応していない場合には、遠隔操作中に撮像装置がオートシャットダウンしてしまうことがあった。また、撮像装置の遠隔操作を行う外部画像処理装置上のアプリケーションが複数ある場合には、各アプリケーションに対してシャットダウンに関する通信処理の実装が必要となることがあった。
【０００５】
非特許文献１では、シャットダウンに関して特別な通信をすることはないため撮像装置に機能を実装するだけでよい。しかしながら、撮像装置が外部画像処理装置に遠隔操作されることのない状態であっても、接続されている外部画像処理装置が撮像装置を遠隔操作可能なものである限り、撮像装置のオートシャットダウンを行わなくなり電池を浪費していた。
【０００６】
撮像装置を遠隔操作可能な外部画像処理装置が接続されているにも関わらず、外部画像処理装置から撮像装置が遠隔操作されることのない処理としては、例えば、撮影同時転送処理が挙げられる。これらの処理の最中は、撮像装置が外部画像処理装置から遠隔操作されることはない。このような場合、撮像装置のボタンが押されなければ、撮像装置に対する操作が遠隔操作を含めて行われていないにも関わらず、オートシャットダウンが動作しなくなる。そのため、撮像装置に対する操作が明らかに行われていないと判断できる場合にも電源を切断せずに、電池を浪費してしまうという課題がある。
【０００７】
本発明は、上記の課題に鑑みてなされたものであり、簡潔な電源制御により効率よく電力消費を抑えることを目的とする。
【課題を解決するための手段】
【０００８】
本発明の第１の側面は、撮像装置に係り、予め設定された条件を満たす場合に、自装置の少なくとも一部への電力の供給をオフにするオートシャットダウン機能を有する電源制御手段と、外部装置と通信を行う通信手段と、自装置の処理モードが、前記通信手段を用いて前記外部装置からの遠隔操作を受けることが可能な処理モードであるか、前記外部装置からの遠隔操作を受けることが不可能な処理モードであるかを判別するモード判別手段とを有し、前記モード判別手段により、前記外部装置からの遠隔操作が不可能な処理モードであると判別された場合、前記電源制御手段は前記オートシャットダウン機能を有効とし、前記外部装置からの遠隔操作を受けることが可能な処理モードであると判別された場合、前記電源制御手段は前記オートシャットダウン機能を無効とすることを特徴とする。
【０００９】
本発明の第２の側面は、外部装置と通信を行う通信手段と、予め設定された条件を満たす場合に、自装置の少なくとも一部への電力の供給をオフにするオートシャットダウン機能を有する電源制御手段とを備える撮像装置の制御方法であって、自装置の処理モードが、前記通信手段を用いて前記外部装置からの遠隔操作を受けることが可能な処理モードであるか、前記外部装置からの遠隔操作を受けることが不可能な処理モードであるかを判別するモード判別工程と、前記モード判別工程により、前記外部装置からの遠隔操作が不可能な処理モードであると判別された場合、前記電源制御手段における前記オートシャットダウン機能を有効とし、前記外部装置からの遠隔操作を受けることが可能な処理モードであると判別された場合、前記電源制御手段における前記オートシャットダウン機能を無効とする電源制御工程と、を含むことを特徴とする。
【００１０】
本発明の第３の側面は、プログラムに係り、上記の制御方法をコンピュータに実行させることを特徴とする。
【発明の効果】
【００１４】
本発明によれば、簡潔な電源制御により効率よく電力消費を抑えることができる。
【発明を実施するための最良の形態】
【００１５】
[第１の実施形態]
以下、図面を参照して本発明の好適な実施の形態を説明する。
【００１６】
図１は、本発明の好適な実施の形態の全体構成を示す図である。
【００１７】
図１において、１００は撮像装置、２００は記録媒体、３００は情報処理装置をそれぞれ示す。
【００１８】
撮像装置１００は通信部１１０及びコネクタ（アンテナ）１１２を介して、情報処理装置３００は通信部３３０及びコネクタ（アンテナ）３３２を介して、無線或いは有線通信により相互にコマンド及び撮影画像を含むデータを送受する。
【００１９】
撮像装置１００と情報処理装置３００との間の無線通信は、IEEE802.11b、IEEE802.11g等の無線ＬＡＮ通信、Ｂｌｕｅｔｏｏｔｈ等のスペクトラム拡散方式等により行われる。また、有線通信の場合は、ＲＳ２３２Ｃ、ＵＳＢ、IEEE1394、P1284、ＳＣＳＩ、モデム、ＬＡＮ等を用いて通信を行う。
【００２０】
撮像装置１００は、レンズ１０を通して撮像した画像データを通信部１１０及びコネクタ（アンテナ）１１２、更に、コネクタ（アンテナ）３３２及び通信部３３０を介して、情報処理装置３００に送信する。情報処理装置３００は、受信した画像データを着脱可能な記録媒体２００に記録すると共に、通信部３２６及びアンテナ３２８を介して、他の情報処理装置又は通信基地局に送信することができる。
＜撮像装置１００の構成説明＞
図２は、本発明の好適な実施の形態に係る撮像装置１００の詳細な構成を示す図である。
【００２１】
図２において、１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２２】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００２３】
２０は画像処理回路であり、 Ａ／Ｄ変換器１６からのデータ又はメモリ制御回路２２からのデータに対して、所定の画素補間処理や色変換処理を行う。
【００２４】
また、画像処理回路２０では、撮像した画像データを用いて所定の演算処理を行う。システム制御回路５０は、画像処理回路２０で得られた演算結果に基づいて、露光制御部４０及び測距制御部４２に対して、例えば、TTL方式のAF（オートフォーカス）処理、ＡＥ（自動露出）処理、ＥＦ（フラッシュプリ発光）処理を行うよう制御する。
【００２５】
更に、画像処理回路２０は、撮像した画像データを用いて所定の演算処理を行い、得られた演算結果に基づいてTTL方式のＡＷＢ（オートホワイトバランス）処理を行う。
【００２６】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２７】
Ａ／Ｄ変換器１６のデータは、画像処理回路２０及びメモリ制御回路２２を介して、又は、Ａ／Ｄ変換器１６のデータが直接メモリ制御回路２２を介して、画像表示メモリ２４又はメモリ３０に書き込まれる。
【００２８】
２４は画像表示メモリ、２６はＤ／Ａ変換器、２８はTFT LCD等を含む画像表示部である。画像表示メモリ２４に書き込まれる表示用の画像データは、Ｄ／Ａ変換器２６を介して画像表示部２８により表示される。
【００２９】
画像表示部２８を用いて撮像した画像データを逐次表示することにより、電子ファインダー機能を実現することができる。
【００３０】
また、画像表示部２８は、システム制御回路５０の指示により任意に表示をＯＮ/ＯＦＦすることができる。表示をＯＦＦにした場合には、撮像装置１００の電力消費を大幅に低減することができる。
【００３１】
３０は撮影した静止画像や動画像を格納するためのメモリであり、所定枚数の静止画像や所定時間の動画像を格納するのに十分な記憶量を備える。メモリ３０としては、例えば、揮発性メモリや不揮発性メモリ等が挙げられる。
【００３２】
これによって、複数枚の静止画像を連続して撮影する連射撮影やパノラマ撮影の場合にも、高速かつ大量の画像書き込みをメモリ３０に対して行うことができる。
【００３３】
また、メモリ３０は、システム制御回路５０の作業領域としても使用することができる。
【００３４】
３２は適応離散コサイン変換（ＡＤＣＴ）等により画像データを圧縮伸長する圧縮・伸長回路であり、メモリ３０に格納された画像を読み込んで圧縮処理又は伸長処理を行い、処理を終えたデータをメモリ３０に書き込む。
【００３５】
４０は絞り機能を備えるシャッター１２を制御する露光制御部であり、フラッシュ４８と連携することによりフラッシュ調光機能も有するものである。
【００３６】
４２は撮影レンズ１０のフォーカシングを制御する測距制御部、４４は撮影レンズ１０のズーミングを制御するズーム制御部、４６はバリアである保護部１０２の動作を制御するバリア制御部である。
【００３７】
４８はフラッシュであり、AF補助光の投光機能及びフラッシュ調光機能も有する。
【００３８】
露光制御部４０及び測距制御部４２はTTL方式を用いて制御され、撮像した画像データを画像処理回路２０によって演算した演算結果に基づいて、システム制御回路５０が露光制御部４０及び測距制御部４２に対して制御を行う。
【００３９】
５０は撮像装置１００全体を制御するシステム制御回路、５２はシステム制御回路５０の動作用の定数、変数、プログラム等を記憶するメモリである。
【００４０】
５４はシステム制御回路５０でのプログラムの実行に応じて、文字、画像、音声等を用いて動作状態やメッセージ等を表示する液晶表示装置、スピーカー等の表示部である。表示部５４は、撮像装置１００の操作部近辺の視認し易い位置に単数又は複数個所設置され、例えばLCDやLED、発音素子等の組み合わせにより構成される。
【００４１】
また、表示部５４は、その一部の機能が光学ファインダー１０４内に設置される。
【００４２】
表示部５４の表示内容のうち、LCD等に表示するものとしては、以下のものが挙げられる。シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示である。さらに、表示部５４の表示内容には、時計用電池残量表示、電池残量表示、エラー表示、複数桁の数字による情報表示、記録媒体２００及び２１０の着脱状態表示、通信I/F動作表示、日付け・時刻表示等も含まれる。
【００４３】
また、表示部５４の表示内容のうち、光学ファインダー１０４内に表示するものとしては、合焦表示、手振れ警告表示、フラッシュ充電表示、シャッタースピード表示、絞り値表示、露出補正表示等が挙げられる。
【００４４】
５６は電気的に消去・記録可能な不揮発性メモリであり、例えばEEPROM等が用いられる。
【００４５】
５８は識別情報であり、通信部１１０及びアンテナ１１２を介して情報処理装置３００と通信を行う際に、通信に先立って認証を行うための各種識別情報が格納される。
【００４６】
６０、６２、６４、６６、６８、７０及び７２は、システム制御回路５０の各種の動作指示を入力するための操作部であり、スイッチやダイアル、タッチパネル、視線検知によるポインティング、音声認識装置等の単数又は複数の組み合わせで構成される。
【００４７】
次に、これらの操作部の具体的な説明を行う。
【００４８】
７２はメインスイッチであり、電源オン及び電源オフを切り替え設定することができる。なお、「電源オフ」には、電源供給を完全に遮断させることだけではなく、電源を省電力機能によりスリープ状態とすることも含まれる。
【００４９】
６０はモードダイアルスイッチであり、自動撮影モード、撮影モード、パノラマ撮影モード、再生モード、マルチ画面再生・消去モード、PC接続モード等の各機能モードを切り替えて設定することができる。
【００５０】
６２はシャッタースイッチＳＷ１であり、不図示のシャッターボタンの操作途中でＯＮとなり、AF（オートフォーカス）処理、ＡＥ（自動露出）処理、ＡＷＢ（オートホワイトバランス）処理、ＥＦ（フラッシュプリ発光）処理等の動作開始を指示する。
【００５１】
６４はシャッタースイッチＳＷ２であり、不図示のシャッターボタンの操作完了でＯＮとなる。シャッタースイッチ６４は、撮像素子１２から読み出した信号をＡ／Ｄ変換器１６及びメモリ制御回路２２を介してメモリ３０に画像データを書き込む露光処理の動作開始を指示する。また、シャッタースイッチ６４は、画像処理回路２０やメモリ制御回路２２での演算を用いた現像処理の動作開始を指示する。また、シャッタースイッチ６４は、メモリ３０から画像データを読み出し、圧縮・伸長回路３２で圧縮を行い、記録媒体２００又は２１０に画像データを書き込む記録処理の動作開始を指示する。
【００５２】
６６は単写/連写スイッチであり、シャッタースイッチＳＷ２を押した場合に１コマの撮影を行って待機状態とする単写モードと、シャッタースイッチＳＷ２を押している間は連続して撮影を行い続ける連写モードを設定することができる。
【００５３】
７０は各種ボタンやタッチパネル等からなる操作部である。操作部７０は、メニューボタン、セットボタン、マクロボタン、マルチ画面再生改ページボタン、フラッシュ設定ボタン、セルフタイマーボタンを含む。また、操作部７０は、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、再生モードをも含む。また、操作部７０は、マルチ画面再生・消去モード、PC接続モード等の各機能モードを設定することができる再生スイッチをも含む。また、操作部７０は、AFモード設定スイッチをも含む。このスイッチは、シャッタースイッチＳＷ１が押されるとオートフォーカス動作を開始し、合焦状態を保ち続けるワンショットAFモードとシャッタースイッチＳＷ１が押されている間はオートフォーカス動作を続けるサーボAFモードとを設定することができる。また、操作部７０は、画像表示部２８のＯＮ/ＯＦＦを設定する画像表示ＯＮ/ＯＦＦスイッチ、撮影直後に撮影した画像データを自動再生するクイックレビュー機能を設定するクイックレビューＯＮ/ＯＦＦスイッチをも含む。また、操作部７０は、JPEG圧縮の圧縮率を選択するため或いは撮像素子の信号をそのままディジタル化して記録媒体に記録するCCDRAWモードを選択する圧縮モードスイッチをも含む。
【００５４】
また、上記のプラスボタン及びマイナスボタンの各機能は、回転ダイアルスイッチを備えることによって、より軽快に数値や機能を選択することができる。
【００５５】
８０は電源制御部であり、電池検出回路、ＤＣ−ＤＣコンバータ、通電するブロックを切り替えるスイッチ回路等により構成される。電源制御部８０は、電池の装着の有無、電池の種類、電池残量の検出を行い、検出結果及びシステム制御回路５０の指示に基づいて、ＤＣ−ＤＣコンバータを制御し、必要な電圧を必要な期間、記録媒体を含む各部へ供給する。
【００５６】
８２及び８４はコネクタ、８６はアルカリ電池やリチウム電池等の一次電池やNiCd電池やNiMH電池、Li-ion電池等の二次電池、ACアダプター等を含む電源部である。
【００５７】
９０はメモリカードやハードディスク等の記録媒体とのインターフェースであり、９２はメモリカードやハードディスク等の記録媒体と接続を行うコネクタである。
【００５８】
なお、本実施形態では、記録媒体を取り付けるインターフェース及びコネクタを１系統持つものとして説明しているが、記録媒体を取り付けるインターフェース及びコネクタは、単数又は複数のいずれの系統数を備える構成としてもよい。また、異なる規格のインターフェース及びコネクタを組み合わせて備える構成としてもよい。
【００５９】
インターフェース及びコネクタとしては、PCMCIAカードやCF（コンパクトフラッシュ(登録商標)）カード、ＳＤ(セキュアデジタル)メモリカード、ＭＭＣ（マルチメディアカード）等の規格に準拠したものを用いて構成してもよい。
【００６０】
さらに、インターフェース９０及びコネクタ９２をPCMCIAカードやCF（コンパクトフラッシュ(登録商標)）カード、ＳＤ(セキュアデジタル)メモリカード等の規格に準拠したものを用いて構成することができる。この場合、通信カード等の各種通信カードを接続することにより、他のコンピュータやプリンタ等の周辺機器との間で画像データや画像データに付属した管理情報を転送し合うことができる。通信カードには、例えば、ＬＡＮカードやモデムカード、ＵＳＢカード、IEEE1394カード、P1284カード、ＳＣＳＩカード、ＰＨＳが含まれる。
【００６１】
９４はコネクタ９２に記録媒体２００が装着されているか否かを検知する記録媒体着脱検知部である。
【００６２】
１０２は、撮像装置１００のレンズ１０を含む撮像部を覆うことにより、撮像部の汚れや破損を防止するバリアとしての保護部である。
【００６３】
１０４は光学ファインダーであり、画像表示部２８による電子ファインダー機能を使用することなく、光学ファインダーのみを用いて撮影を行うことができる。また、光学ファインダー１０４内には、表示部５４の一部の機能、例えば、合焦表示、手振れ警告表示、フラッシュ充電表示、シャッタースピード表示、絞り値表示、露出補正表示などが設置される。
【００６４】
１１０は通信部であり、有線通信機能、無線ＬＡＮ通信、スペクトラム拡散通信、赤外線通信等の各種近距離高速データ通信機能を有する。有線通信機能には、例えば、ＲＳ２３２Ｃ、ＵＳＢ、IEEE1394、P1284、ＳＣＳＩ、モデム、ＬＡＮ等が含まれる。無線ＬＡＮ通信には、例えば、IEEE802.11b、IEEE802.11g等が含まれる。スペクトラム拡散通信には、例えば、Ｂｌｕｅｔｏｏｔｈ等が含まれる。赤外線通信には、例えば、ＩｒＤＡ等が含まれる。
【００６５】
１１２は通信部１１０により撮像装置１００を他の機器と接続するコネクタ或いは無線通信の場合はアンテナである。本実施例では有線接続用コネクタ（例えばＵＳＢ）、及び無線接続用アンテナ（例えば無線ＬＡＮ）を備えるものとする。
【００６６】
２００はメモリカードやハードディスク等の記録媒体である。
【００６７】
記録媒体２００は、半導体メモリや磁気ディスク等から構成される記録部２０２、撮像装置１００とのインターフェース２０４、撮像装置１００と接続を行うコネクタ２０６及び識別情報２０８を備える。
【００６８】
＜情報処理装置３００の構成説明＞
図３は、本発明の好適な実施の形態に係る情報処理装置３００の詳細な構成を示す図である。
【００６９】
図３において、３１０は音声を電気信号に変換するマイク、３１２はマイクのアナログ出力信号をディジタル信号に変換するＡ/Ｄ変換器である。
【００７０】
３１４はメモリ制御回路であり、Ａ/Ｄ変換器３１２の出力データがメモリ制御回路３１４を介してメモリ３２０に書き込まれ、また、メモリ３２０から読み出されたデータがＤ/Ａ変換器３１６に入力される。
【００７１】
３１６はディジタル信号をアナログ信号に変換するＤ/Ａ変換器、３１８は電気信号を音声信号に変換するスピーカーである。
【００７２】
３２０はマイク３１０から入力された音声及び撮像装置１００から送信された静止画像又は動画像の少なくとも一方を格納するためのメモリである。メモリ３２０は、所定時間の音声及び所定枚数の静止画像又は所定時間の動画像の少なくとも一方を格納するのに十分な記憶量を備える。
【００７３】
３２２はメモリ３２０に格納された静止画像データや動画データをアナログ信号に変換するＤ／Ａ変換器であり、３２４はＤ／Ａ変換器３２２の出力画像信号を表示する画像表示部である。
【００７４】
３２６は通信部であり、ＴＤＭＡ、ＣＤＭＡ、Ｗ−ＣＤＭＡ等の各種遠距離無線通信機能を有する。
【００７５】
３２８は通信部３２６により情報処理装置３００を他の情報処理装置及び通信基地局の少なくとも一方と回線接続するアンテナである。
【００７６】
３３０は通信部であり、有線通信機能、無線ＬＡＮ通信、スペクトラム拡散通信、赤外線通信等の各種近距離高速データ通信機能を有する。有線通信機能には、例えば、ＲＳ２３２Ｃ、ＵＳＢ、IEEE1394、P1284、ＳＣＳＩ、モデム、ＬＡＮ等が含まれる。無線ＬＡＮ通信には、例えば、IEEE802.11b、IEEE802.11g等が含まれる。スペクトラム拡散通信には、例えば、Ｂｌｕｅｔｏｏｔｈ等が含まれる。赤外線通信には、例えば、ＩｒＤＡ等が含まれる。
【００７７】
３３２は通信部３３０により情報処理装置３００を他の機器と接続するコネクタであるか或いは無線通信の場合はアンテナである。本実施例では有線接続用コネクタ（例えばＵＳＢ）、及び無線接続用アンテナ（例えば無線ＬＡＮ）を備えるものとする。
【００７８】
３５０は情報処理装置３００全体を制御するシステム制御回路であり、３５２はシステム制御回路３５０の動作用の定数、変数、プログラム等を記憶するメモリである。
【００７９】
３５４は電気的に消去・記録可能な不揮発性メモリであり、例えばEEPROM等が用いられる。
【００８０】
３５６は識別情報であり、通信部３３０、コネクタ（アンテナ）３３２を介して撮像装置１００と通信を行う際に、通信に先立って認証を行うための各種識別情報が格納される。
【００８１】
３６０はシステム制御回路３５０でのプログラムの実行に応じて、文字、画像、音声等を用いて動作状態やメッセージ等を表示する液晶表示装置やスピーカー等の表示部である。表示部３６０は、情報処理装置３００の操作部近辺の視認し易い位置に単数又は複数個所設置され、例えばLCDやLED、発音素子等の組み合わせにより構成される。
【００８２】
３６２はシステム制御回路３５０の各種の動作指示を入力するための操作部であり、スイッチやダイアル、タッチパネル、視線検知によるポインティング、音声認識装置等の単数又は複数の組み合わせで構成される。
【００８３】
操作部３６２によれば、情報処理装置３００の電源オン/オフ、通話の実行（オフフック）/停止（オンフック）、電話番号入力、電話番号検索、通信モード切り替え等の操作を行うことができる。
【００８４】
３６４は着信通知部であり、他の情報処理装置や通信基地局から通話の着信があった場合に、音声、画像及び振動等の少なくとも１つにより情報処理装置３００の使用者に着信を通知することができる。ここで、音声には、例えば、呼出し音、発声音、音楽等が含まれる。画像には、例えば、アイコン、動画、静止画、発光等が含まれる。
【００８５】
３６６はコネクタ３９２に記録媒体２００が装着されているか否かを検知する記録媒体着脱検知部である。
【００８６】
３７０は印刷部であり、熱転写方式、昇華方式、インクジェット方式、バブルジェット(登録商標)方式等の印刷機能を備える。印刷部３７０は、撮像装置１００や他の情報処理装置から通信部３３０を介して受け取った画像データ及び装着された記録媒体２００から読み取った画像データの少なくとも一方を、様々なサイズ・種類の用紙（普通紙や所定の印刷用紙）に印刷することができる。
【００８７】
３８０は電源制御部であり、電池検出回路、ＤＣ−ＤＣコンバータ、通電するブロックを切り替えるスイッチ回路等により構成される。電源制御部３８０は、電池の装着の有無、電池の種類、電池残量の検出を行い、検出結果及びシステム制御回路３５０の指示に基づいて、ＤＣ−ＤＣコンバータを制御し、必要な電圧を必要な期間、記録媒体を含む各部へ供給する。
【００８８】
３８２及び３８４はコネクタ、３８６はアルカリ電池やリチウム電池等の一次電池やNiCd電池やNiMH電池、Li-ion電池、Liポリマー等の二次電池、ACアダプター等を含む電源部である。
【００８９】
３９０はメモリカードやハードディスク等の記録媒体とのインターフェースであり、３９２はメモリカードやハードディスク等の記録媒体と接続を行うコネクタである。
【００９０】
なお、本実施形態では記録媒体を取り付けるインターフェース及びコネクタを１系統持つものとして説明しているが、記録媒体を取り付けるインターフェース及びコネクタは、単数又は複数のいずれの系統数を備える構成としてもよい。また、異なる規格のインターフェース及びコネクタを組み合わせて備える構成としてもよい。
【００９１】
インターフェース及びコネクタとしては、PCMCIAカードやCF（コンパクトフラッシュ(登録商標)）カード、ＳＤ(セキュアデジタル)メモリカード、ＭＭＣ（マルチメディアカード）等の規格に準拠したものを用いて構成してもよい。
【００９２】
さらに、インターフェース３９０及びコネクタ３９２をPCMCIAカード等の規格に準拠したものを用いて構成する場合、各種通信カードを接続することにより、他の周辺機器との間で画像データや画像データに付属した管理情報を転送し合うことができる。各種通信カードには、ＬＡＮカード、モデムカード、ＵＳＢカード、IEEE1394カード、P1284カード、ＳＣＳＩカード、ＰＨＳ等の通信カード等が含まれる。他の周辺機器には、コンピュータやプリンタ等が含まれる。
【００９３】
２００はメモリカードやハードディスク等の記録媒体である。記録媒体２００は、半導体メモリや磁気ディスク等から構成される記録部２０２、情報処理装置３００とのインターフェース２０４、情報処理装置３００と接続を行うコネクタ２０６、識別情報２０８を備える。
【００９４】
＜撮像装置１００の動作説明＞
図４乃至図１１、図１５、図１６、図１７を参照して、第１の実施形態の撮像装置１００の動作を説明する。
【００９５】
図１５は本実施形態の撮像装置１００のメインルーチンのフローチャートを示す図である。
【００９６】
ステップＳ３０１では、システム制御回路５０は、既にタスク１が起動されているか否かを判断する。システム制御回路５０は、タスク１が起動されていない場合には（ステップＳ３０１で「ＮＯ」）、ステップＳ３０２に進んでタスク１を起動する。タスク１の処理の詳細は図４を用いて後述する。
【００９７】
システム制御回路５０は、タスク１が既に起動されている場合には（ステップＳ３０１で「ＹＥＳ」）、ステップＳ３０３に進む。
【００９８】
ステップＳ３０３では、システム制御回路５０は、既にタスク２が起動されているか否かを判断する。システム制御回路５０は、まだタスク２が起動されていない場合には（ステップＳ３０３で「ＮＯ」）、ステップＳ３０４に進んでタスク２を起動する。タスク２の処理の詳細は図１６を用いて後述する。システム制御回路５０は、タスク２が既に起動されている場合には（ステップＳ３０３で「ＹＥＳ」）、ステップＳ３０１に戻る。
【００９９】
図４は図１５のステップＳ３０２で起動されるタスク１のフローチャートを示す図である。
【０１００】
ステップＳ１０１では、システム制御回路５０は、電池交換等の電源投入により、フラグや制御変数等を初期化すると共に、撮像装置１００各部の初期化処理を行う。
【０１０１】
ステップＳ１０２では、システム制御回路５０は、メインスイッチ７２が電源ＯＦＦに設定されているか否かを判断する。システム制御回路５０は、メインスイッチ７２が電源ＯＦＦに設定されていれば（ステップＳ１０２で「ＹＥＳ」）、ステップＳ１０３に進む。メインスイッチ７２が電源ＯＮに設定されていれば（ステップＳ１０２で「ＮＯ」）、ステップＳ１０４に進む。
【０１０２】
ステップＳ１０３では、システム制御回路５０は、各表示部の表示を終了状態に変更し、保護部１０２のバリア等を閉じて撮像部を保護する。また、システム制御回路５０は、フラグや制御変数等を含む必要なパラメータ、設定値及び設定モードを不揮発性メモリ５６に記録する。また、システム制御回路５０は、電源制御部８０により画像表示部２８を含む撮像装置１００各部の不要な電源を遮断する等の所定の終了処理を行った後、ステップＳ１０２に戻る。
【０１０３】
ステップＳ１０４では、システム制御回路５０は、電源制御部８０により電池等により構成される電源８６の残容量や動作情況が撮像装置１００の動作に問題があるか否かを判断する。
【０１０４】
システム制御回路５０は、電源８６の残容量が撮像装置１００の動作を継続するには問題がある場合には（ステップＳ１０４で「ＮＯ」）、ステップＳ１０５に進む。システム制御回路５０は、電源８６の残容量が撮像装置１００の動作を継続するには問題が無い場合には（ステップＳ１０４で「ＹＥＳ」）、ステップＳ１０６に進む。
【０１０５】
ステップＳ１０５では、システム制御回路５０は、表示部５４及び画像表示部２８の少なくとも一方を用いて画像及び音声の少なくとも一方により所定の警告表示を行い、ステップＳ１０３に進む。
【０１０６】
ステップＳ１０６では、システム制御回路５０は、表示部５４及び画像表示部２８の少なくとも一方を用いて画像及び音声の少なくとも一方により電池残容量やメモリ３０の状態を含む撮像装置１００の各種設定状態の表示を行い、ステップＳ１０７に進む。
【０１０７】
ステップ１０７では、システム制御回路５０は、操作部７０に含まれる接続先の登録（ペアリング）ボタンが押されているか否かを判断する。システム制御回路５０は、接続先の登録（ペアリング）ボタンが押されていなければ（ステップＳ１０７で「ＮＯ」）、ステップＳ４０１に進む。システム制御回路５０は、接続先の登録（ペアリング）ボタンが押されていれば（ステップＳ１０７で「ＹＥＳ」）、ステップＳ１０８に進む。
【０１０８】
ステップＳ１０８では、システム制御回路５０は、通信部１１０、アンテナ１１２、アンテナ３３２及び通信部３３０を介して、情報処理装置３００との間で接続先の登録処理を実行する。接続先の登録処理においては、撮像装置１００は、情報処理装置３００等の無線機能を備える機器と無線接続するために必要な接続相手の無線パラメータを事前に取得する。そして、撮像装置１００は、接続相手の無線パラメータを撮像装置１００内部のシステム制御回路５０の内部メモリ及びメモリ５２並びに不揮発性メモリ５６の少なくとも１つに記憶する。無線パラメータの取得に際しては、記録媒体２００を介して情報のやりとりをすることができる。また、不図示のＵＳＢ等の有線インターフェースにより、撮像装置１００と情報処理装置３００をケーブルを用いて接続し、無線パラメータの取得のやりとりを行うこともできる。
【０１０９】
記憶した無線パラメータは、撮像装置１００が情報処理装置３００等の無線機能を備える機器と無線接続を行う場合に使用される。
【０１１０】
接続先の登録処理が終了すると、Ｓ１０２に戻る。
【０１１１】
Ｓ４０１では、システム制御回路５０は、通信部１１０及びコネクタ１１２を介して撮像装置１００が情報処理装置３００とＵＳＢ接続されているか否かを判断する。システム制御回路５０は、撮像装置１００が情報処理装置３００とＵＳＢ接続されている場合には（ステップＳ４０１で「ＹＥＳ」）、ステップＳ４０２に進む。システム制御回路５０は、撮像装置１００が情報処理装置３００とＵＳＢ接続されていない場合には（ステップＳ４０１で「ＮＯ」）、ステップＳ１０９に進む。
【０１１２】
ステップＳ４０２では、システム制御回路５０は、操作部７０に含まれるモードスイッチの設定状態を判断する。システム制御回路５０は、モードスイッチが静止画（ＲＥＣ）モード又は動画（ＭＯＶＩＥ）モードに設定されていれば（ステップＳ４０２で「ＲＥＣ、ＭＯＶＩＥ」）、ステップＳ１０９に進む。システム制御回路５０は、モードスイッチが再生（ＰＢ）モードに設定されていたならば（ステップＳ４０２で「ＰＢ」）、ステップＳ４０３に進む。
【０１１３】
ステップＳ４０３では、システム制御回路５０は、通信部１１０、コネクタ１１２、コネクタ３３２及び通信部３３０を介して、情報処理装置３００に動作モードが再生（ＰＢ）モードであることを通知する。そして、システム制御回路５０は、情報処理装置３００にPC制御モードの問い合わせを行う。
【０１１４】
ステップＳ４０４では、システム制御回路５０は、情報処理装置３００でＰＣダイレクト転送モード（ＤＴ）が選択されていれば（ステップＳ４０４で「ＤＴ」）、ステップＳ４０５に進む。システム制御回路５０は、情報処理装置３００でリモートキャプチャーモード（ＲＣ）が選択されていれば（ステップＳ４０４で「ＲＣ」）、ステップＳ４０６に進む。
【０１１５】
ステップＳ４０５では、システム制御回路５０は、ＰＣダイレクト転送処理を実行する。ステップＳ４０５のＰＣダイレクト転送処理（ＤＴ）の詳細は、図７を用いて後述する。システム制御回路５０は、ステップＳ４０５のＰＣダイレクト転送処理が終了すれば、ステップＳ１０２に戻る。
【０１１６】
ステップＳ４０６では、システム制御回路５０は、リモートキャプチャー処理を実行する。ステップＳ４０６のリモートキャプチャー処理の詳細は、図８を用いて後述する。
【０１１７】
システム制御回路５０は、ステップＳ４０６のリモートキャプチャー処理が終了すると、ステップＳ１０２に戻る。ステップＳ１０９では、システム制御回路５０は、無線接続を開始するために、操作部７０に含まれる通信開始ボタンが押されているか否かを判断する。システム制御回路５０は、通信開始ボタンが押されていなければ（ステップＳ１０９で「ＮＯ」）、無線接続を行わずに撮像装置１００の各種動作を実行するためにステップＳ１１０に進む。システム制御回路５０は、通信開始ボタンが押されていれば（ステップＳ１０９で「ＹＥＳ」）、操作部７０に含まれるモードスイッチの設定状態を判断するためにステップＳ１１４に進む。
【０１１８】
ステップＳ１１４では、システム制御回路５０は、モードスイッチが動画（ＭＯＶＩＥ）モードに設定されていれば（ステップＳ１１４で「ＭＯＶＩＥ」）、ステップＳ１１５に進む。システム制御回路５０は、モードスイッチが静止画撮影（ＲＥＣ）モード又は再生（ＰＢ）モードに設定されていれば（ステップＳ１１４で「ＲＥＣ、ＰＢ」）、ステップＳ１１６に進む。
【０１１９】
ステップＳ１１５では、システム制御回路５０は、表示部５４及び画像表示部２８の少なくとも一方を用いて画像や音声により所定の警告表示を行い、ステップＳ１０２に戻る。
【０１２０】
このように、通信部１１０、アンテナ１１２、アンテナ３３２及び通信部３３０を介して撮像装置１００から情報処理装置３００に動画の画像を無線伝送する際に伝送レートが不足すれば、動画モードの設定状態で無線接続を開始する際に所定の警告表示を行う。これにより、撮像装置１００の使用者が誤って動画転送できないにも関わらず動画モードで無線接続を行い動画撮影を行うことを防止することができる。その結果、フレーム落ちしたり、途中で打ち切られたり、一時停止したりする等の不完全な動画データの転送が行われることを防止することができる。
【０１２１】
ステップＳ１１６では、システム制御回路５０は、通信部１１０、アンテナ１１２、アンテナ３３２及び通信部３３０を介して、情報処理装置３００との間の通信状態を確立するための接続確立処理を行う。
【０１２２】
ステップＳ１１７では、システム制御回路５０は、ステップＳ１１６の接続確立処理を実行した結果、撮像装置１００と情報処理装置３００との間で通信が確立しなければ（ステップＳ１１７で「ＮＯ」）、ステップ１１８に進む。システム制御回路５０は、撮像装置１００と情報処理装置３００との間で通信が確立すると（ステップＳ１１７で「ＹＥＳ」）、ステップ１１９に進む。
【０１２３】
ステップＳ１１８では、システム制御回路５０は、表示部５４及び画像表示部２８の少なくとも一方を用いて画像や音声により所定の警告表示を行い、ステップＳ１２５に進む。
【０１２４】
ステップＳ１１９では、システム制御回路５０は、操作部７０に含まれるモードスイッチの設定状態を判断する。システム制御回路５０は、モードスイッチが静止画撮影（ＲＥＣ）モードに設定されていれば（ステップＳ１１９で「ＲＥＣ」）、ステップＳ１２０に進む。システム制御回路５０は、モードスイッチが再生（ＰＢ）モードに設定されていれば（ステップＳ１１９で「ＰＢ」）、ステップＳ１２１に進む。
【０１２５】
ステップＳ１２０では、システム制御回路５０は、通信部１１０、アンテナ１１２、アンテナ３３２及び通信部３３０を介して、情報処理装置３００に動作モードが静止画撮影（ＲＥＣ）モードであることを通知し、撮影同時転送処理を実行する。ステップＳ１２０の撮影同時転送処理の詳細は、図５乃至図６を用いて後述する。ステップＳ１２０の撮影同時転送処理が終了すると、ステップＳ１２５に進む。
【０１２６】
ステップＳ１２１では、システム制御回路５０は、通信部１１０、アンテナ１１２、アンテナ３３２及び通信部３３０を介して、情報処理装置３００に動作モードが再生（ＰＢ）モードであることを通知する。そして、システム制御回路５０は、情報処理装置３００にPC制御モードの問い合わせを行う。
【０１２７】
ステップＳ１２２では、システム制御回路５０は、システム制御回路５０は、情報処理装置３００において、ＰＣダイレクト転送モード（ＤＴ）が選択されていれば（ステップＳ１２２で「ＤＴ」）、ステップＳ１２３のＰＣダイレクト転送処理を実行する。システム制御回路５０は、情報処理装置３００において、リモートキャプチャーモード（ＲＣ）が選択されていれば（ステップＳ１２２で「ＲＣ」）、ステップＳ１２４に進む。
【０１２８】
ステップＳ１２３のＰＣダイレクト転送処理の詳細は、図７を用いて後述する。
【０１２９】
ステップＳ１２３では、システム制御回路５０は、ＰＣダイレクト転送処理を実行し、ＰＣダイレクト転送処理が終了すれば、ステップＳ１２５に進む。
【０１３０】
ステップＳ１２４では、システム制御回路５０は、リモートキャプチャー処理を実行する。
【０１３１】
ステップＳ１２４のリモートキャプチャー処理の詳細は、図８を用いて後述する。システム制御回路５０は、ステップＳ１２４のリモートキャプチャー処理が終了すると、ステップＳ１２５に進む。
【０１３２】
ステップＳ１２５では、システム制御回路５０は、無線接続を切断するために、操作部７０に含まれる通信終了ボタンが押されているか否かを判断する。システム制御回路５０は、通信終了ボタンが押されていなければ（ステップＳ１２５で「ＮＯ」）、ステップＳ１０２に戻る。システム制御回路５０は、通信終了ボタンが押されていれば（ステップＳ１２５で「ＹＥＳ」）、ステップＳ１２６に進む。
【０１３３】
ステップＳ１２６では、システム制御回路５０は、通信部１１０、アンテナ１１２、アンテナ３３２及び通信部３３０を介して、情報処理装置３００との間の無線を切断する処理を行い、ステップＳ１０２に戻る。
【０１３４】
図５乃至図６は、図４のステップＳ１２０における撮影同時転送処理の詳細なフローチャートを示す図である。
【０１３５】
ステップＳ１３１では、システム制御回路５０は、通信部１１０、アンテナ１１２、アンテナ３３２、通信部３３０を介して、情報処理装置３００との間の通信状態を確認する。システム制御回路５０は、情報処理装置３００との無線接続がされていれば（ステップＳ１３１で「ＮＯ」）、ステップＳ１３２に進む。システム制御回路５０は、情報処理装置３００との無線接続がされていれば（ステップＳ１３１で「ＹＥＳ」）、ステップＳ１３３に進む。
【０１３６】
ステップＳ１３２では、システム制御回路５０は、表示部５４及び画像表示部２８の少なくとも一方を用いて画像や音声により所定の警告表示を行い、ステップＳ１２０の撮影同時転送処理ルーチンを終了する。
【０１３７】
ステップＳ１３３では、システム制御回路５０は、シャッタースイッチＳＷ１が押されているか否かを判断する。システム制御回路５０は、シャッタースイッチＳＷ１が押されていれば（ステップＳ１３３で「ＹＥＳ」）、ステップＳ１３４に進む。システム制御回路５０は、シャッタースイッチＳＷ１が押されていなければ（ステップＳ１３３で「ＮＯ」）、ステップＳ１２０の撮影同時転送処理ルーチンを終了する。
【０１３８】
ステップＳ１３４では、システム制御回路５０は、次の点について問題があるか否かの判断を行う。すなわち、記録媒体２００が装着されているか否かの判断、記録媒体２００に記録された画像データの管理情報の取得、及び、記録媒体２００の動作状態（撮像装置１００の動作、特に記録媒体に対する画像データの記録再生動作に問題があるか）である。システム制御回路５０は、これらに問題が無ければ（ステップＳ１３３で「ＹＥＳ」）、ステップＳ１３７に進む。システム制御回路５０は、これらに問題があれば（ステップＳ１３３で「ＮＯ」）、ステップＳ１３５に進む。
【０１３９】
ステップＳ１３５では、システム制御回路５０は、画像表示ＯＮ/ＯＦＦスイッチの設定状態を判断する。システム制御回路５０は、画像表示ＯＮ/ＯＦＦスイッチがＯＦＦであれば、すなわち光学ファインダー１０４を用いた撮影を行う状態（ＯＶＦ撮影）であれば（ステップＳ１３５で「ＯＶＦ」）、ステップＳ１３６に進む。システム制御回路５０は、画像表示ＯＮ/ＯＦＦスイッチがＯＮであれば、すなわち画像表示部２８を用いた撮影を行う状態（ＥＶＦ撮影）であれば（ステップＳ１３５で「ＥＶＦ」）、ステップＳ１３７に進む。
【０１４０】
ステップＳ１３６では、システム制御回路５０は、表示部５４及び画像表示部２８の少なくとも一方を用いて画像や音声により所定の警告表示を行い、ステップＳ１２０の撮影同時転送処理ルーチンを終了する。なお、ＯＶＦ撮影状態においては画像表示部２８がＯＦＦに設定されているため、画像表示部２８をＯＮにしてから画像表示部２８に文字やアイコンや画像による所定の警告表示を行う。
【０１４１】
以上のように、情報処理装置３００との間で無線接続状態であり（ステップＳ１３１）、記録媒体２００が使用できない状態であり（ステップＳ１３４）、更に、ＯＶＦ撮影状態であったならば（ステップＳ１３５）、撮影を禁止して警告を行う。その結果、撮影画像が記録媒体２００に記録されずに情報処理装置３００への転送完了前に無線切断が行われうる状態で、撮像装置１００の使用者が撮影画像を確実に保存できると勘違いして誤ってシャッタースイッチ６４を押すことを防止することができる。
【０１４２】
また、画像表示部２８がＯＦＦ状態であっても、画像表示部２８をＯＮ状態にして、画像表示部２８に警告を表示する。これにより、撮影した画像が確実に保存できると勘違いしてシャッタースイッチ６４を誤って押してしまうことを防止することができる。
【０１４３】
ステップＳ１３７では、システム制御回路５０は、測距処理を行って撮影レンズ１０の焦点を被写体に合わせ、測光処理を行って絞り値及びシャッター時間を決定し、ホワイトバランス処理を行って色温度を合わせる。測光処理において、必要であればフラッシュの設定も行う。
【０１４４】
なお、ステップＳ１３７の測距・測光処理では、各種フラグの少なくとも１つの状態に応じて、ＡＥ制御及びＡＷＢ制御の少なくとも一方の実行の可否を判断し、判断結果に応じて各々の処理を行う。上記各種フラグには、システム制御回路５０の内部メモリ又はメモリ５２に記憶された撮影開始フラグ、ＡＥロックフラグ及びホワイトバランスモード設定フラグが含まれる。
【０１４５】
ステップＳ１３７の測距・測光処理の詳細は図９を用いて後述する。ステップＳ１３７の測距・測光処理が終了すると、ステップＳ１３８に進む。
【０１４６】
ステップＳ１３８では、システム制御回路５０は、システム制御回路５０の内部メモリ又はメモリ５２に記憶されたフラッシュフラグの状態を判断する。システム制御回路５０は、フラッシュフラグが設定されていれば（ステップＳ１３８で「ＹＥＳ」）、ステップＳ１３９に進む。システム制御回路５０は、フラッシュフラグが解除されていれば（ステップＳ１３８で「ＮＯ」）、ステップＳ１４０に進む。
【０１４７】
ステップＳ１３９では、システム制御回路５０は、フラッシュ４８の充電を行い、ステップＳ１４０に進む。
【０１４８】
ステップ１４０では、システム制御回路５０は、シャッタースイッチＳＷ２が押されなければ（ステップＳ１４０で「ＮＯ」）、ステップＳ１４１に進む。システム制御回路５０は、シャッタースイッチＳＷ２が押されれば（ステップＳ１４０で「ＹＥＳ」）、図６のステップＳ１５１に進む。
【０１４９】
ステップ１４１では、システム制御回路５０は、シャッタースイッチＳＷ１が押されたままであれば（ステップＳ１４１で「ＹＥＳ」）、ステップＳ１４０に戻る。システム制御回路５０は、シャッタースイッチＳＷ１が解除されれば（ステップＳ１４１で「ＮＯ」）、ステップＳ１２０の撮影同時転送処理ルーチンを終了する。
【０１５０】
次いで、図６のステップＳ１５１では、システム制御回路５０は、撮像素子１２、Ａ／Ｄ変換器１６、画像処理回路２０、メモリ制御回路２２を介して、メモリ３０に撮影した画像データを書き込む露光処理からなる撮影処理を実行する。或いは、システム制御回路５０は、Ａ／Ｄ変換器から直接メモリ制御回路２２を介して、メモリ３０に撮影した画像データを書き込む露光処理からなる撮影処理を実行する。ステップＳ１５１の撮影処理の詳細は図１０を用いて後述する。
【０１５１】
ステップＳ１５２では、システム制御回路５０は、メモリ制御回路２２そして必要に応じて画像処理回路２０を用いて、メモリ３０に書き込まれた撮影画像データを読み出して各種処理を行う（現像処理）。
【０１５２】
ステップＳ１５３では、システム制御回路５０は、必要に応じて、圧縮・伸長回路３２を用いて設定したモードに応じた画像圧縮処理を行う（圧縮処理）。
【０１５３】
ステップＳ１５４では、システム制御回路５０は、画像表示部２８によりステップＳ１５２で現像処理を行った撮影画像のレビュー表示を行い、ステップＳ１５５に進む。
【０１５４】
ステップＳ１５５では、システム制御回路５０は、次の点について問題があるか否かの判断を行う。すなわち、記録媒体２００が装着されているか否かの判断、記録媒体２００に記録された画像データの管理情報の取得、及び、記録媒体２００の動作状態が撮像装置１００の動作、特に記録媒体に対する画像データの記録再生動作である。システム制御回路５０は、これらに問題が無ければ（ステップＳ１５５で「ＹＥＳ」）、ステップＳ１５７に進む。システム制御回路５０は、これらに問題があれば（ステップＳ１５５で「ＮＯ」）、ステップＳ１５６に進む。
【０１５５】
ステップＳ１５６では、システム制御回路５０は、表示部５４及び画像表示部２８の少なくとも一方を用いて画像や音声により所定の警告表示を行い、ステップＳ１２０の撮影同時転送処理ルーチンを終了する。
【０１５６】
以上のように、撮影画像が記録媒体２００に記録されず、情報処理装置３００への転送完了前に無線切断が行われうるにも関わらず、撮像装置１００の使用者が撮影画像を確実に保存できると勘違いすることを防止することができる。
【０１５７】
ステップＳ１５７では、システム制御回路５０は、メモリ３０に確保したバッファー領域に現像処理（ステップＳ１５２）、圧縮処理（ステップＳ１５３）等の所定の処理を行った画像データを記憶して、ステップＳ１５８に進む。
【０１５８】
ステップＳ１５８では、システム制御回路５０は、メモリ３０に確保したバッファー領域に、記録媒体２００に未記録の画像データが有るか否かを判断する。システム制御回路５０は、未記録画像データが無ければ（ステップＳ１５８で「ＮＯ」）、ステップＳ１６０に進む。システム制御回路５０は、未記録画像データがあれば（ステップＳ１５８で「ＹＥＳ」）、ステップＳ１５９に進む。
【０１５９】
ステップＳ１５９では、システム制御回路５０は、メモリ３０に確保したバッファー領域からインターフェース９０及びコネクタ９２を介して記録媒体２００に対して未記録画像データの記録を開始し、ステップＳ１６０に進む。
【０１６０】
ステップＳ１６０では、システム制御回路５０は、メモリ３０に確保したバッファー領域に、撮像装置１００から情報処理装置３００に向けて未転送の画像データが有るか否かを判断する。システム制御回路５０は、未転送画像データが無いならば（ステップＳ１６０で「ＮＯ」）、ステップＳ１６２に進む。システム制御回路５０は、未転送画像データがあるならば（ステップＳ１６０で「ＹＥＳ」）、ステップＳ１６１に進む。
【０１６１】
ステップＳ１６１では、システム制御回路５０は、メモリ３０に確保したバッファー領域から通信部１１０、アンテナ１１２を介して情報処理装置３００に向けて未転送画像データの転送を開始し、ステップＳ１６２に進む。
【０１６２】
ステップＳ１６２では、システム制御回路５０は、シャッタースイッチＳＷ１が押されていれば（ステップＳ１６２で「ＹＥＳ」）、ステップＳ１３１に戻る。シャッタースイッチＳＷ１が押されていなければ（ステップＳ１６２で「ＮＯ」）、ステップＳ１２０の撮影同時転送処理ルーチンを終了する。
【０１６３】
図７は、図４のステップＳ１２３、ステップＳ４０５におけるＰＣダイレクト転送処理の詳細なフローチャートを示す図である。
【０１６４】
ステップＳ１７１では、システム制御回路５０は、通信部１１０、コネクタ（アンテナ）１１２、コネクタ（アンテナ）３３２、通信部３３０を介して、情報処理装置３００との間の通信状態を確認する。システム制御回路５０は、情報処理装置３００との接続がされていなければ（ステップＳ１７１で「ＮＯ」）、ステップＳ１７２に進む。システム制御回路５０は、情報処理装置３００との接続がされていれば（ステップＳ１７１で「ＹＥＳ」）、ステップＳ１７３に進む。
【０１６５】
ステップＳ１７２では、システム制御回路５０は、表示部５４及び画像表示部２８の少なくとも一方を用いて画像や音声により所定の警告表示を行い、ステップＳ１２３のＰＣダイレクト転送処理ルーチンを終了する。
【０１６６】
ステップＳ１７３では、システム制御回路５０は、記録媒体２００及びメモリ３０の少なくとも一方に確保したバッファー領域に、撮像装置１００から情報処理装置３００に向けて転送する画像データ等のファイルが有るか否かを判断する。システム制御回路５０は、転送する画像データ等のファイルが無いなければ（ステップＳ１７３で「ＮＯ」）、ステップＳ１２３のＰＣダイレクト転送処理ルーチンを終了する。システム制御回路５０は、転送する画像データ等のファイルがあれば（ステップＳ１７３で「ＹＥＳ」）、ステップＳ１７４に進む。
【０１６７】
ステップＳ１７４では、システム制御回路５０は、記録媒体２００からコネクタ９２、インターフェース９０、通信部１１０及びアンテナ１１２を介して、情報処理装置３００に向けて転送すべき画像データ等のファイルの転送を行う。或いは、システム制御回路５０は、メモリ３０に確保したバッファー領域から通信部１１０及びアンテナ１１２を介して、情報処理装置３００に向けて転送すべき画像データ等のファイルの転送を行う。その後、システム制御回路５０は、ステップＳ１７５に進む。
【０１６８】
ステップＳ１７５では、システム制御回路５０は、転送が終了すれば（ステップＳ１７５で「ＹＥＳ」）、ステップＳ１２３のＰＣダイレクト転送処理ルーチンを終了する。システム制御回路５０は、転送が終了しなければ（ステップＳ１７４で「ＮＯ」）、ステップＳ１７４の転送を行う。
【０１６９】
図８は、図４のステップＳ１２４、ステップＳ４０６におけるリモートキャプチャー処理の詳細なフローチャートを示す図である。
【０１７０】
ステップＳ１８１では、システム制御回路５０は、通信部１１０、コネクタ（アンテナ）１１２、コネクタ（アンテナ）３３２、通信部３３０を介して、情報処理装置３００との間の通信状態を確認する。システム制御回路５０は、情報処理装置３００との接続がされていなければ（ステップＳ１８１で「ＮＯ」）、ステップＳ１８２に進む。システム制御回路５０は、情報処理装置３００との接続がされば（ステップＳ１８１で「ＹＥＳ」）、ステップＳ１８３に進む。
【０１７１】
ステップＳ１８２では、表示部５４及び画像表示部２８の少なくとも一方を用いて画像や音声により所定の警告表示を行い、ステップＳ１２４のリモートキャプチャー処理ルーチンを終了する。
【０１７２】
ステップＳ１８３では、システム制御回路５０は、通信部３３０、コネクタ（アンテナ）３３２、コネクタ（アンテナ）１１２、通信部１１０を介して、情報処理装置３００からコマンドを受信したか否かを判断する。システム制御回路５０は、情報処理装置３００からコマンドを受信していなければ（ステップＳ１８３で「ＮＯ」）、ステップＳ１９５に進む。システム制御回路５０は、情報処理装置３００からコマンドを受信すれば（ステップＳ１８３で「ＹＥＳ」）、ステップＳ１８４に進む。
【０１７３】
ステップＳ１８４では、システム制御回路５０は、コマンドの内容を判断し、受信したコマンドが撮影に関するコマンドであれば（ステップＳ１８４で「ＹＥＳ」）、ステップＳ１８６に進む。システム制御回路５０は、受信したコマンドが撮影に関するコマンド以外であったならば（ステップＳ１８４で「ＮＯ」）、ステップＳ１８５に進む。
【０１７４】
ステップＳ１８５では、システム制御回路５０は、コマンドに応じた処理を実行し、ステップＳ１９５に進む。
【０１７５】
ステップＳ１８６では、システム制御回路５０は、測距処理を行って撮影レンズ１０の焦点を被写体に合わせ、測光処理を行って絞り値及びシャッター時間を決定し、ホワイトバランス処理を行って色温度を合わせる。測光処理に於いて、必要であればフラッシュの設定も行う。
【０１７６】
なお、ステップＳ１８６の測距・測光処理においては、各種フラグの少なくとも１つの状態に応じて、ＡＥ制御及びＡＷＢ制御の少なくとも一方の実行の可否を判断し、判断結果に応じて各々の処理を行う。上記各種フラグには、システム制御回路５０の内部メモリ又はメモリ５２に記憶された撮影開始フラグ、ＡＥロックフラグ及びホワイトバランスモード設定フラグが含まれる。
【０１７７】
ステップＳ１８６の測距・測光処理の詳細は図９を用いて後述する。
【０１７８】
ステップＳ１８７では、システム制御回路５０は、撮像素子１２、Ａ／Ｄ変換器１６、画像処理回路２０、メモリ制御回路２２を介して、メモリ３０に撮影した画像データを書き込む露光処理からなる撮影処理を実行する。或いは、システム制御回路５０は、Ａ／Ｄ変換器から直接メモリ制御回路２２を介して、メモリ３０に撮影した画像データを書き込む露光処理からなる撮影処理を実行する。ステップＳ１８７の撮影処理の詳細は図１０を用いて後述する。
【０１７９】
ステップＳ１８８では、システム制御回路５０は、メモリ制御回路２２そして必要に応じて画像処理回路２０を用いて、メモリ３０に書き込まれた撮影画像データを読み出して各種処理を行う（現像処理）。
【０１８０】
ステップＳ１８９では、システム制御回路５０は、必要に応じて、圧縮・伸長回路３２を用いて設定したモードに応じた画像圧縮処理を行う圧縮処理を行った後、ステップＳ１９０に進む。
【０１８１】
ステップＳ１９０では、システム制御回路５０は、メモリ３０に確保したバッファー領域にステップＳ１８８の現像処理、ステップＳ１８９の圧縮処理等の所定の処理を行った画像データを記憶して、ステップＳ１９１に進む。
【０１８２】
ステップＳ１９１では、システム制御回路５０は、次の点について問題があるか否かの判断を行う。すなわち、記録媒体２００が装着されているか否かの判断、記録媒体２００に記録された画像データの管理情報の取得、及び、記録媒体２００の動作状態が撮像装置１００の動作、特に記録媒体に対する画像データの記録再生動作である。システム制御回路５０は、これらに問題が無ければ（ステップＳ１９１で「ＹＥＳ」）、ステップＳ１９２に進む。システム制御回路５０は、これらに問題があれば（ステップＳ１９１で「ＮＯ」）、ステップＳ１９３に進む。
【０１８３】
ステップＳ１９２では、システム制御回路５０は、メモリ３０に確保したバッファー領域からインターフェース９０、コネクタ９２を介して記録媒体２００に対して画像データの記録を開始し、ステップＳ１９３に進む。
【０１８４】
ステップＳ１９３では、システム制御回路５０は、メモリ３０に確保したバッファー領域から通信部１１０、コネクタ（アンテナ）１１２を介して情報処理装置３００に向けて撮影してバッファーに記憶した画像データの転送を行う。
【０１８５】
ステップＳ１９４では、システム制御回路５０は、情報処理装置３００への画像転送が確実に終了すれば（ステップＳ１９４で「ＹＥＳ」）、ステップＳ１９５に進む。システム制御回路５０は、情報処理装置３００への画像転送が確実に終了しなければ（ステップＳ１９４で「ＮＯ」）、ステップＳ１９３の転送を行う。
【０１８６】
以上のように、リモートキャプチャー撮影時は無線接続での撮影であっても撮影禁止にしないと共に警告も行わないようにすることが可能となり、リモートキャプチャー時の操作性が煩雑になることを防止して使い易くすることできる。
【０１８７】
ステップＳ１９５では、システム制御回路５０は、撮像装置１００側の都合でリモートキャプチャー処理を中断する必要が発生した場合には（ステップＳ１９５で「ＹＥＳ」）、ステップＳ１２４のリモートキャプチャー処理ルーチンを終了する。システム制御回路５０は、撮像装置１００側の都合でリモートキャプチャー処理を中断する必要が発生しなければ（ステップＳ１９５で「ＮＯ」）、ステップＳ１８１に戻る。そして、システム制御回路５０は、ステップＳ１８３において情報処理装置３００から新たなコマンドによる指示を待つ。
【０１８８】
図９は、図５のステップＳ１３７、図８のステップＳ１８６における測距・測光処理の詳細なフローチャートを示す図である。
【０１８９】
ステップＳ１００１では、システム制御回路５０は、撮像素子１４から電荷信号を読み出し、Ａ／Ｄ変換器１６を介して画像処理回路２０に撮影画像データを逐次読み込む。この逐次読み込まれた画像データを用いて、画像処理回路２０はTTL（スルー・ザ・レンズ）方式のＡＥ（自動露出）処理、ＥＦ（フラッシュプリ発光）処理、AF（オートフォーカス）処理に用いる所定の演算を行う。なお、ここでの各処理は、撮影した全画素数のうちの必要に応じた特定の部分を必要個所分切り取って抽出し、演算に用いている。これにより、TTL方式のＡＥ、ＥＦ、ＡＷＢ、AFの各処理において、中央重点モード、平均モード、評価モードの各モード等の異なるモード毎に最適な演算を行うことができる。
【０１９０】
ステップＳ１００２では、システム制御回路５０は、画像処理回路２０での演算結果を用いて、露出（ＡＥ）が適正か否かを判断する。システム制御回路５０は、露出が適正であれば（ステップＳ１００２で「ＹＥＳ」）、測定データ及び設定パラメータの少なくとも一方をシステム制御回路５０の内部メモリ又はメモリ５２に記憶する。そして、ステップＳ１００６に進む。システム制御回路５０は、露出が適正でなければ（ステップＳ１００２で「ＮＯ」）、ステップＳ１００３に進む。
【０１９１】
ステップＳ１００３では、システム制御回路５０は、露光制御部４０を用いてＡＥ制御を行う。
【０１９２】
ステップＳ１００４では、システム制御回路５０は、ＡＥ制御で得られた測定データを用いて、フラッシュが必要か否かを判断する。システム制御回路５０は、フラッシュが必要であれば（ステップＳ１００４で「ＹＥＳ」）、ステップＳ１００５に進む。システム制御回路５０は、フラッシュが必要でなければ（ステップＳ１００４で「ＮＯ」）、ステップＳ１００１に戻る。
【０１９３】
ステップＳ１００５では、システム制御回路５０は、フラッシュフラグをセットし、フラッシュ４８を充電する。
【０１９４】
ステップＳ１００６では、システム制御回路５０は、画像処理回路２０での演算結果及びＡＥ制御で得られた測定データを用いて、ホワイトバランス（ＡＷＢ）が適正か否かを判断する。システム制御回路５０は、ホワイトバランス（ＡＷＢ）が適正であれば（ステップＳ１００６で「ＹＥＳ」）、測定データ及び設定パラメータの少なくとも一方をシステム制御回路５０の内部メモリ又はメモリ５２に記憶して、ステップＳ１００８に進む。システム制御回路５０は、ホワイトバランス（ＡＷＢ）が適正でなければ（ステップＳ１００６で「ＮＯ」）、ステップＳ１００７に進む。
【０１９５】
ステップＳ１００７では、システム制御回路５０は、画像処理回路２０を用いて色処理のパラメータを調節してＡＷＢ制御を行う。
【０１９６】
ステップＳ１００８では、システム制御回路５０は、ＡＥ制御及びＡＷＢ制御で得られた測定データを用いて、測距（AF）が合焦か否かを判断する。システム制御回路５０は、測距（AF）が合焦であれば（ステップＳ１００８で「ＹＥＳ」）、測定データ及び設定パラメータの少なくとも一方をシステム制御回路５０の内部メモリ又はメモリ５２に記憶する。そして、システム制御回路５０は、ステップＳ１３７及びステップＳ１８６の測距・測光処理ルーチンを終了する。
【０１９７】
ステップＳ１００９では、システム制御回路５０は、測距制御部４２を用いてAF制御を行う。
【０１９８】
図１０は、図６のステップＳ１５１、図８のステップＳ１８７における撮影処理の詳細なフローチャートを示す図である。
【０１９９】
ステップ１１０１では、システム制御回路５０は、システム制御回路５０の内部メモリ又はメモリ５２に記憶される測光データに従い、露光制御部４０によって、絞り機能を有するシャッター１２を絞り値に応じて開放する。
【０２００】
ステップ１１０２では、システム制御回路５０は、撮像素子１０を露光する。
【０２０１】
ステップ１１０３では、システム制御回路５０は、フラッシュフラグによりフラッシュ４８が必要か否かを判断する。システム制御回路５０は、フラッシュ４８が必要な場合には（ステップ１１０３で「ＹＥＳ」）、ステップＳ１１０４に進む。システム制御回路５０は、フラッシュ４８が必要でない場合には（ステップ１１０３で「ＮＯ」）、ステップＳ１１０５に進む。
【０２０２】
ステップＳ１１０４では、システム制御回路５０は、フラッシュを発光させる。
【０２０３】
ステップＳ１１０５では、システム制御回路５０は、測光データに従って撮像素子１２の露光が終了したか否かを判断する。システム制御回路５０は、露光が終了すれば（ステップＳ１１０６で「ＹＥＳ」）、ステップＳ１１０７へ進む。システム制御回路５０は、露光が終了しなければ（ステップＳ１１０６で「ＮＯ」）、ステップＳ１１０５へ戻る。
【０２０４】
ステップＳ１１０６では、システム制御回路５０は、シャッター１２を閉じる。
【０２０５】
ステップＳ１１０７では、システム制御回路５０は、撮像素子１４から電荷信号を読み出し、Ａ／Ｄ変換器１６、画像処理回路２０、メモリ制御回路２２を介して、メモリ３０に撮影画像のデータを書き込む。或いは、システム制御回路５０は、Ａ／Ｄ変換器１６から直接メモリ制御回路２２を介して、メモリ３０に撮影画像のデータを書き込む。
【０２０６】
一連の処理が終了すると、ステップＳ１５１及びステップＳ１８７の撮影処理ルーチンを終了する。
【０２０７】
図１６は図１５のステップＳ３０４で起動されるタスク２のフローチャートを示す図である。
【０２０８】
ステップＳ５０１では、システム制御回路５０は、撮像装置１００の操作部から入力がある場合には（ステップＳ５０１で「ＹＥＳ」）、ステップＳ５０２へ進む。システム制御回路５０は、撮像装置１００の操作部から入力がない場合には（ステップＳ５０１で「ＮＯ」）、ステップＳ５０３へ進む。撮像装置１００の操作部には、例えば、モードダイアル６０、シャッタースイッチ６２、シャッタースイッチ６４、単写/連写スイッチ６６、操作部７０、メインスイッチ７２が含まれる。
【０２０９】
ステップＳ５０２では、システム制御回路５０は、アイドルタイマをリセットする。アイドルタイマは、撮像装置１００の操作部へ入力が行われなかった時間を計測するものであり、時間経過とともに変化し、撮像装置１００の操作部から入力がある度にリセットされる。
【０２１０】
ステップＳ５０３では、システム制御回路５０は、その時点での撮像装置１００の処理モード、すなわち、撮像装置１００がその時点で行っている処理を判断する。上記処理モードは、撮影同時転送処理（図４、ステップＳ１２０）、ＰＣダイレクト転送（図４、ステップＳ１２３）、リモートキャプチャー（図４、ステップＳ１２４）を含む。また、上記処理モードは、再生モード処理（図４、ステップＳ１１３）、動画モード処理（図４、ステップＳ１１２）、撮影モード処理（図４、ステップＳ１１１）をも含む。システム制御回路５０は、処理モードが、情報処理装置３００から撮像装置１００を遠隔操作可能なモードである場合には（ステップＳ５０３で「遠隔操作可能」）、ステップＳ５０１へ戻る。本実施形態では、ＰＣダイレクト転送及びリモートキャプチャー処理が、情報処理装置３００から撮像装置１００を遠隔操作可能な処理モードである。システム制御回路５０は、処理モードが、情報処理装置３００から撮像装置１００を遠隔操作不能なモードである場合には（ステップＳ５０３で「遠隔操作不能」）、ステップＳ５０４に進む。
【０２１１】
ステップＳ５０４では、システム制御回路５０は、オートシャットダウン処理を行う。このオートシャットダウン処理の詳細は図１７を用いて後述する。情報処理装置３００から撮像装置１００を遠隔操作不能な処理モードとしては、撮影同時転送処理、再生モード処理、動画モード処理、撮影モード処理が挙げられる。ステップＳ５０４のオートシャットダウン処理が終了すると、ステップＳ５０１へ戻る。
【０２１２】
図１７は図１６のステップＳ５０４におけるオートシャットダウン処理の詳細なフローチャートを示す図である。
【０２１３】
ステップＳ６０１では、システム制御回路５０は、アイドルタイマの値が不揮発性メモリ５６等に記憶されるシャットダウン時間より大きいか否かを判断する。アイドルタイマは撮像装置１００の操作部へ入力が行われなかった時間を計測するものであり、時間経過とともに変化し、撮像装置１００の操作部から入力がある度にリセットされる（図５のステップＳ５０２）。システム制御回路５０は、アイドルタイマがシャットダウン時間以下である場合には（ステップＳ６０１で「ＮＯ」）、ステップＳ５０４のオートシャットダウン処理ルーチンを終了する。システム制御回路５０は、アイドルタイマがシャットダウン時間よりも大きい場合には（ステップＳ６０１で「ＹＥＳ」）、ステップＳ６０２に進む。
【０２１４】
ステップＳ６０２では、システム制御回路５０は、メモリ３０に確保したバッファー領域に未転送の画像データがあるか否かを判断する。システム制御回路５０は、バッファーが空である場合には（ステップＳ６０２で「ＹＥＳ」）、ステップＳ６０４へ進む。システム制御回路５０は、バッファーに未転送データがある場合には（ステップＳ６０２で「ＮＯ」）、ステップＳ６０３に進む。
【０２１５】
ステップＳ６０３では、システム制御回路５０は、バッファー内データを転送する。この場合、通信部１１０、コネクタ（アンテナ）１１２を介して情報処理装置３００へ転送する場合の他、インターフェース９０、コネクタ９２を介して記録媒体２００に対して転送し、未記録画像データの記録を行う場合がある。システム制御回路５０は、バッファー内データを転送したら、ステップＳ６０２へ戻る。
【０２１６】
ステップＳ６０４では、システム制御回路５０は、各表示部の表示を終了状態に変更し、保護部１０２のバリア等を閉じて撮像部を保護し、フラグや制御変数等を含む必要なパラメータや設定値、設定モードを不揮発性メモリ５６に記録する。また、システム制御回路５０は、電源制御部８０により画像表示部２８を含む撮像装置１００各部の不要な電源を遮断する等の所定の終了処理を行う。その後、システム制御回路５０は、ステップＳ５０４のオートシャットダウン処理ルーチンを終了する。
【０２１７】
＜情報処理装置３００の動作説明＞
図１１を参照して、第１の実施形態の情報処理装置３００の動作を説明する。
【０２１８】
図１１は本実施形態の情報処理装置３００のメインルーチンのフローチャートを示す図である。
【０２１９】
ステップ２００１では、システム制御回路３５０は、電池交換等の電源投入により、フラグや制御変数等を初期化すると共に、情報処理装置３００各部の初期化処理を行う。
【０２２０】
ステップＳ２００２では、システム制御回路３５０は、操作部３６２に含まれる電源スイッチが電源ＯＦＦに設定されているか電源ＯＮに設定されているかを判断する。システム制御回路３５０は、電源スイッチが電源ＯＦＦに設定されていれば（ステップＳ２００２で「電源ＯＦＦ」）、ステップＳ２００３に進む。システム制御回路３５０は、操作部３６２に含まれる電源スイッチが電源ＯＮに設定されていれば（ステップＳ２００２で「電源ＯＮ」）、ステップＳ２００４に進む。
【０２２１】
ステップＳ２００３では、システム制御回路３５０は、各表示部の表示を終了状態に変更する。そして、システム制御回路３５０は、フラグや制御変数等を含む必要なパラメータや設定値、設定モードを不揮発性メモリ３５４に記録する。システム制御回路３５０は、電源制御部３８０により画像表示部３２４を含む情報処理装置３００各部の不要な電源を遮断する等の所定の終了処理を行った後、ステップＳ２００２に戻る。
【０２２２】
ステップＳ２００４では、システム制御回路３５０は、電源制御部３８０により電池等により構成される電源３８６の残容量や動作状況が情報処理装置３００の動作に問題があるか否かを判断する。システム制御回路３５０は、電源３８６の残容量が情報処理装置３００の動作を継続するのに問題が無い場合には（ステップＳ２００４で「ＹＥＳ」）、ステップＳ２００６に進む。システム制御回路３５０は、電源３８６の残容量が情報処理装置３００の動作を継続するには問題がある場合には（ステップＳ２００４で「ＮＯ」）、ステップＳ２００５に進む。
【０２２３】
ステップＳ２００５では、表示部３６０及び画像表示部３２４の少なくとも一方を用いて画像や音声により所定の警告表示を行い、ステップＳ２００３に進む。
【０２２４】
ステップＳ２００６では、システム制御回路３５０は、表示部３６０及び画像表示部３２４の少なくとも一方を用いて画像や音声により電池残容量やメモリ３２０の状態を含む情報処理装置３００の各種設定状態の表示を行った後、ステップＳ２００７に進む。
【０２２５】
ステップＳ２００７では、システム制御回路３５０は、操作部３６２に含まれる接続先の登録（ペアリング）ボタンが押されているか否かを判断する。システム制御回路３５０は、接続先の登録（ペアリング）ボタンが押されていれば（ステップＳ２００７で「ＹＥＳ」）、ステップ２００８に進む。システム制御回路３５０は、接続先の登録（ペアリング）ボタンが押されていなければ（ステップＳ２００７で「ＮＯ」）、ステップＳ６０１に進む。
【０２２６】
ステップＳ２００８では、システム制御回路３５０は、通信部３３０、アンテナ３３２、アンテナ１１２、通信部１１０を介して、撮像装置１００との間で接続先の登録処理を実行する。
【０２２７】
ステップＳ２００８の接続先の登録処理では、システム制御回路３５０は、情報処理装置３００が撮像装置１００等の無線機能を備える機器と無線接続するために必要な接続相手の無線パラメータを事前に取得する。そして、システム制御回路３５０は、画像処置装置３００内部のシステム制御回路３５０の内部メモリ及びメモリ３５２並びに不揮発性メモリ３５４の少なくとも１つにこの無線パラメータを記憶する。無線パラメータの取得に際しては、記録媒体２００を介して情報のやりとりをすることができる。また、不図示のUSB等の有線インターフェースにより、情報処理装置３００と撮像装置１００とをケーブルを用いて接続し、無線パラメータの取得のやりとりを行うこともできる。
【０２２８】
記憶した無線パラメータは、情報処理装置３００が撮像装置１００等の無線機能を備える機器と無線接続を行う場合に使用する。ステップＳ２００８の接続先の登録処理が終了すると、ステップＳ２００２に戻る。
【０２２９】
ステップＳ６０１では、システム制御回路３５０は、通信部３３０、コネクタ３３２を通じて撮像装置１００が情報処理装置３００とＵＳＢ接続されているか否かを判断する。システム制御回路３５０は、情報処理装置３００が撮像装置１００とＵＳＢ接続されている場合には（ステップＳ６０１で「ＹＥＳ」）、ステップＳ６０２に進む。情報処理装置３００が撮像装置１００とＵＳＢ接続されていない場合には（ステップＳ６０１で「ＮＯ」）、ステップＳ２００９に進む。
【０２３０】
ステップＳ６０２では、システム制御回路３５０は、通信部１１０、コネクタ１１２、コネクタ３３２、通信部３３０を介して、撮像装置１００の動作モードを受信する。
【０２３１】
ステップＳ６０３では、システム制御回路３５０は、受信した撮像装置１００の動作モードが静止画（ＲＥＣ）モードであれば（ステップＳ６０３で「ＲＥＣ」）、ステップＳ２００９へ進む。システム制御回路３５０は、受信した撮像装置１００の動作モードが再生（ＰＢ）モードであれば（ステップＳ６０３で「ＰＢ」）、ステップＳ６０４に進む。
【０２３２】
ステップＳ６０４では、システム制御回路３５０は、表示部３６０により撮像装置１００を操作するための表示（カメラウィンドウ）を行い、操作部３６２により撮像装置１００を制御する制御モードの選択を受け付ける。
【０２３３】
ステップＳ６０５では、システム制御回路３５０は、操作部３６２により入力された制御モードが「ＰＣダイレクト転送モード（ＤＴ）」であったならば（ステップＳ６０５で「ＤＴ」）、ステップＳ６０６に進む。システム制御回路３５０は、操作部３６２により入力された制御モードが「リモートキャプチャーモード（ＲＣ）」であれば（ステップＳ６０５で「ＲＣ」）、ステップＳ６０７に進む。
【０２３４】
ステップＳ６０６では、システム制御回路３５０は、ＰＣダイレクト受信処理を実行する。ステップＳ６０６のＰＣダイレクト受信処理の詳細は、図１３を用いて後述する。ステップＳ６０６のＰＣダイレクト受信処理が終了すると、ステップＳ２００２へ戻る。
【０２３５】
ステップＳ６０７では、リモートキャプチャー制御処理を実行する。ステップＳ６０７のリモートキャプチャー制御処理の詳細は、図１４を用いて後述する。ステップＳ６０７のリモートキャプチャー制御処理が終了すると、ステップＳ２００２へ戻る。
【０２３６】
ステップＳ２００９では、システム制御回路３５０は、無線接続を開始するために、操作部３６２に含まれる通信開始ボタンが押されているか否かを判断する。システム制御回路３５０は、通信開始ボタンが押されていれば（ステップＳ２００９で「ＹＥＳ」）、ステップＳ２０１０に進む。システム制御回路３５０は、通信開始ボタンが押されていなければ（ステップＳ２００９で「ＮＯ」）、ステップＳ２００２に戻る。
【０２３７】
ステップＳ２０１０では、システム制御回路３５０は、通信部３３０、アンテナ３３２、アンテナ１１２、通信部１１０を介して、撮像装置１００との間の通信状態を確立するための接続確立処理を行う。
【０２３８】
ステップＳ２０１１では、システム制御回路３５０は、情報処理装置３００と撮像装置１００との間で通信が確立すれば（ステップＳ２０１１で「ＹＥＳ」）、ステップＳ２０１３に進む。システム制御回路３５０は、情報処理装置３００と撮像装置１００との間で通信が確立しなければ（ステップＳ２０１１で「ＮＯ」）、ステップＳ２０１２に進む。
【０２３９】
ステップＳ２０１２では、システム制御回路３５０は、表示部３６０及び画像表示部３２４の少なくとも一方を用いて画像や音声により所定の警告表示を行い、ステップＳ２０２０に進む。
【０２４０】
ステップＳ２０１３では、システム制御回路３５０は、通信部１１０、アンテナ１１２、アンテナ３３２、通信部３３０を介して、撮像装置１００の動作モードを受信する。
【０２４１】
ステップＳ２０１４では、システム制御回路３５０は、受信した撮像装置１００の動作モードが静止画撮影（ＲＥＣ）モードであるか再生（ＰＢ）モードであるかを判断する。システム制御回路３５０は、動作モードが静止画撮影（ＲＥＣ）モードであれば（ステップＳ２０１４で「ＲＥＣ」）、ステップＳ２０１５に進む。システム制御回路３５０は、動作モードが再生（ＰＢ）モードであれば（ステップＳ２０１４で「ＰＢ」）、ステップＳ２０１６に進む。
【０２４２】
ステップＳ２０１５では、システム制御回路３５０は、撮影同時受信処理を実行する。ステップＳ２０１５の撮影同時受信処理の詳細は、図１２用いて後述する。ステップＳ２０１５の撮影同時受信処理が終了すると、ステップＳ２０２０に進む。
【０２４３】
ステップＳ２０１６では、システム制御回路３５０は、表示部３６０により撮像装置１００を操作するための表示（カメラウィンドウ）を行い、操作部３６２により撮像装置１００を制御する制御モードの選択を受け付ける。
【０２４４】
ステップＳ２０１７では、システム制御回路３５０は、操作部３６２により入力された制御モードが「ＰＣダイレクト転送モード（ＤＴ）」であるか「リモートキャプチャーモード（ＲＣ）」であるかを判断する。システム制御回路３５０は、ＰＣダイレクト転送モードであれば（ステップＳ２０１７で「ＤＴ」）、ステップＳ２０１８に進む。システム制御回路３５０は、リモートキャプチャーモード（ステップＳ２０１７で「ＲＣ」）であれば、ステップＳ２０１９に進む。
【０２４５】
ステップＳ２０１８では、ＰＣダイレクト受信処理を実行する。ステップＳ２０１８のＰＣダイレクト受信処理の詳細は、図１３を用いて後述する。ステップＳ２０１８のＰＣダイレクト受信処理が終了すると、ステップＳ２０２０に進む。
【０２４６】
ステップ２０１９では、システム制御回路３５０は、リモートキャプチャー制御処理を実行する。ステップＳ２０１９のリモートキャプチャー制御処理の詳細は、図１４を用いて後述する。ステップＳ２０１９のリモートキャプチャー制御処理が終了すると、ステップＳ２０２０に進む。
【０２４７】
ステップＳ２０２０では、システム制御回路３５０は、無線接続を切断するために、操作部３６２に含まれる通信終了ボタンが押されているか否かを判断する。システム制御回路３５０は、通信終了ボタンが押されていれば（ステップＳ２０２０で「ＹＥＳ」）、ステップＳ２０２１に進む。システム制御回路３５０は、通信終了ボタンが押されていなければ（ステップＳ２０２０で「ＮＯ」）、ステップＳ２００２に戻る。
【０２４８】
ステップＳ２０２１では、通信部３３０、アンテナ３３２、アンテナ１１２、通信部１１０を介して、撮像装置１００との間の無線を切断する処理を行い、ステップＳ２００２に戻る。
【０２４９】
図１２は、図１１のステップＳ２０１５における撮影同時受信処理の詳細なフローチャートを示す図である。
【０２５０】
ステップＳ２０３１では、システム制御回路３５０は、通信部３３０、アンテナ３３２、アンテナ１１２、通信部１１０を介して、撮像装置１００との間の通信状態を確認する。システム制御回路３５０は、撮像装置１００との無線接続がされていれば（ステップＳ２０３１で「ＹＥＳ」）、ステップＳ２０３３に進む。システム制御回路３５０は、システム制御回路３５０は、撮像装置１００との無線接続がされていなければ（ステップＳ２０３１で「ＮＯ」）、ステップＳ２０３２に進む。
【０２５１】
ステップＳ２０３２では、システム制御回路３５０は、表示部３６０及び画像表示部３２４の少なくとも一方を用いて画像や音声により所定の警告表示を行い、ステップＳ２０１５の撮影同時受信処理ルーチンを終了する。
【０２５２】
ステップＳ２０３３では、システム制御回路３５０は、通信部１１０、アンテナ１１２、アンテナ３３２、通信部３３０を介して、撮像装置１００から画像処置装置３００に画像が送信されるか否かを判断する。システム制御回路３５０は、受信する画像があれば（ステップＳ２０３３で「ＹＥＳ」）、ステップＳ２０３４に進む。システム制御回路３５０は、受信する画像が無ければ（ステップＳ２０３３で「ＮＯ」）、ステップＳ２０１５の撮影同時受信処理ルーチンを終了する。
【０２５３】
ステップＳ２０３４では、システム制御回路３５０は、通信部１１０、アンテナ１１２、アンテナ３３２、通信部３３０を介して、撮像装置１００から画像を受信してメモリ３２０に保存する。
【０２５４】
ステップＳ２０３５では、システム制御回路３５０は、撮像装置１００からの画像受信が終了したか否かを判断する。システム制御回路３５０は、撮像装置１００からの画像受信が終了すれば（ステップＳ２０３５で「ＹＥＳ」）、ステップＳ２０３６に進む。システム制御回路３５０は、撮像装置１００からの画像受信が終了しなければ（ステップＳ２０３５で「ＮＯ」）、ステップＳ２０３４の画像受信を行う。
【０２５５】
ステップＳ２０３６では、システム制御回路３５０は、メモリ３２０に記憶した撮像装置１００から受信した画像を、インターフェース３９０、コネクタ３９２を介して、記録媒体２００に記録する。システム制御回路３５０は、記録が終了すると、ステップＳ２０１５の撮影同時受信処理ルーチンを終了する。
【０２５６】
図１３は、図１１のステップＳ２０１８及びステップＳ６０６におけるＰＣダイレクト受信処理の詳細なフローチャートを示す図である。
【０２５７】
ステップＳ２０７１では、システム制御回路３５０は、通信部３３０、コネクタ（アンテナ）３３２、コネクタ（アンテナ）１１２、通信部１１０を介して、撮像装置１００との間の通信状態を確認する。システム制御回路３５０は、撮像装置１００と接続されていれば（ステップＳ２０７１で「ＹＥＳ」）、ステップＳ２０７３に進む。システム制御回路３５０は、撮像装置１００と接続されていなければ（ステップＳ２０７１で「ＮＯ」）、ステップＳ２０７２に進む。
【０２５８】
ステップＳ２０７２では、システム制御回路３５０は、表示部３６０及び画像表示部３２４の少なくとも一方を用いて画像や音声により所定の警告表示を行い、ステップＳ２０１８のＰＣダイレクト受信処理ルーチンを終了する。
【０２５９】
ステップＳ２０７３では、システム制御回路３５０は、通信部１１０、コネクタ（アンテナ）１１２、コネクタ（アンテナ）３３２、通信部３３０を介して、撮像装置１００から画像処置装置３００に画像データ等のファイルが送信されるか否かを判断する。システム制御回路３５０は、受信する画像データ等のファイルがあれば（ステップＳ２０７３で「ＹＥＳ」）、ステップＳ２０７４に進む。システム制御回路３５０は、受信する画像データ等のファイルが無ければ（ステップＳ２０７３で「ＮＯ」）、ステップＳ２０１８のＰＣダイレクト受信処理ルーチンを終了する。
【０２６０】
ステップＳ２０７４では、システム制御回路３５０は、通信部１１０、アンテナコネクタ（アンテナ）、コネクタ（アンテナ）３３２、通信部３３０を介して、撮像装置１００から画像データ等のファイルを受信してメモリ３２０に保存する。
【０２６１】
ステップＳ２０７５では、システム制御回路３５０は、撮像装置１００からの画像データ等のファイルの受信が終了したか否かを判断する。
【０２６２】
ステップＳ２０７６では、システム制御回路３５０は、メモリ３２０に記憶した撮像装置１００から受信した画像データ等のファイルを、インターフェース３９０、コネクタ３９２を介して、記録媒体２００に記録する。システム制御回路３５０は、記録が終了すると、ステップＳ２０１８のＰＣダイレクト受信処理ルーチンを終了する。
【０２６３】
図１４は、図１１のステップＳ２０１９及びステップＳ６０７におけるリモートキャプチャー制御処理の詳細なフローチャートを示す図である。
【０２６４】
ステップＳ２０８１では、システム制御回路３５０は、通信部３３０、コネクタ（アンテナ）３３２、コネクタ（アンテナ）１１２、通信部１１０を介して、撮像装置１００との間の通信状態を確認する。システム制御回路３５０は、撮像装置１００と接続されていれば（ステップＳ２０８１で「ＹＥＳ」）、ステップＳ２０８３に進む。システム制御回路３５０は、撮像装置１００と接続されていなければ（ステップＳ２０８１で「ＮＯ」）、ステップＳ２０８２に進む。
【０２６５】
ステップＳ２０８２では、システム制御回路３５０は、表示部３６０及び画像表示部３２４の少なくとも一方を用いて画像や音声により所定の警告表示を行い、ステップＳ２０１９のリモートキャプチャー制御処理ルーチンを終了する。
【０２６６】
ステップＳ２０８３では、システム制御回路３５０は、表示部３６０により撮像装置１００を操作するための表示（カメラウィンドウ）を行い、操作部３６２により撮像装置１００でリモートキャプチャー撮影を実行する指示が入力されたか否かを判断する。システム制御回路３５０は、リモートキャプチャー撮影を行う指示が入力されれば（ステップＳ２０８３で「ＹＥＳ」）、ステップＳ２０８４に進む。システム制御回路３５０は、リモートキャプチャー撮影を行う指示が入力されなけれ（ステップＳ２０８３で「ＮＯ」）、ステップＳ２０９０に進む。
【０２６７】
ステップＳ２０８４では、システム制御回路３５０は、通信部３３０、コネクタ（アンテナ）３３２、コネクタ（アンテナ）１１２、通信部１１０を介して、撮像装置１００に撮影コマンドを送信し、ステップＳ２０８５に進む。
【０２６８】
ステップＳ２０８５では、システム制御回路３５０は、通信部１１０、コネクタ（アンテナ）１１２、コネクタ（アンテナ）３３２、通信部３３０を介して、撮像装置１００から画像処置装置３００に画像が送信されるか否かを判断する。システム制御回路３５０は、受信する画像があれば（ステップＳ２０８５で「ＹＥＳ」）、ステップＳ２０８６に進む。システム制御回路３５０は、受信する画像が無ければ（ステップＳ２０８５で「ＮＯ」）、ステップＳ２０９０に進む。
【０２６９】
ステップＳ２０８６では、システム制御回路３５０は、通信部１１０、コネクタ（アンテナ）１１２、コネクタ（アンテナ）３３２、通信部３３０を介して、撮像装置１００から画像を受信してメモリ３２０に保存する。
【０２７０】
ステップＳ２０８７では、システム制御回路３５０は、撮像装置１００からの画像受信が終了したか否かを判断する。システム制御回路３５０は、画像受信が終了すれば（ステップＳ２０８７で「ＹＥＳ」）、ステップＳ２０８８に進む。システム制御回路３５０は、画像受信が終了しなければ（ステップＳ２０８７で「ＮＯ」）、ステップＳ２０８６の画像受信を行う。
【０２７１】
ステップＳ２０８８では、システム制御回路３５０は、受信した画像を表示部３６０及び画像表示部３２４の少なくとも一方に表示する。
【０２７２】
ステップＳ２０８９では、システム制御回路３５０は、メモリ３２０に記憶した撮像装置１００から受信した画像を、インターフェース３９０及びコネクタ３９２を介して、記録媒体２００に記録する。システム制御回路３５０は、記録が終了すると、ステップＳ２０９０に進む。
【０２７３】
ステップＳ２０９０では、システム制御回路３５０は、操作部３６２によりリモートキャプチャー処理を終了する指示が入力されたならば（ステップＳ２０９０で「ＹＥＳ」）、ステップＳ２０１９のリモートキャプチャー制御処理ルーチンを終了する。システム制御回路３５０は、操作部３６２によりリモートキャプチャー処理を終了する指示が入力されていなければ（ステップＳ２０９０で「ＮＯ」）、ステップＳ２０８１に戻る。
【０２７４】
以上のように、第１の実施形態によれば、撮像装置１００の処理モードに従って撮像装置１００側でオートシャットダウンを行うか否かを判断し（ステップＳ５０３）、オートシャットダウンを適切に制御できる。そのため、情報処理装置３００にはオートシャットダウンに関する処理を新たに追加する必要がなく、処理の簡素化、実装の負荷軽減に有効である。
【０２７５】
また、撮像装置１００と情報処理装置３００が無線接続されている場合でも、情報処理装置３００から撮像装置１００が遠隔操作されることのない処理モード（例えば、撮影同時転送処理）ではオートシャットダウンを行う。これにより、電池の浪費をより防ぐことができる。
【０２７６】
また、通常撮影時（撮影モード処理（ステップＳ１１１））、ステップＳ１２０の撮影同時転送時ともにオートシャットダウンを行うことになり、通常撮影時と撮影同時転送時の操作感が統一される。撮影同時転送時の画像転送もバックグラウンドで行うため、ユーザは通常撮影と撮影同時転送を、それらの差異を意識することなく利用できる。
【０２７７】
次に、撮像装置１００において、情報処理装置３００との間で無線接続状態であり（ステップＳ１３１）、記録媒体２００が使用できない状態であり（ステップＳ１３４）、ＯＶＦ撮影状態であったならば（ステップＳ１３５）、撮影を禁止して警告を行う。その結果、撮影画像が記録媒体２００に記録されず、情報処理装置３００への転送完了前に無線切断が行われうるにも関わらず、撮像装置１００の使用者が撮影画像を確実に保存できると勘違いして誤ってシャッタースイッチ６４を押すことを防止できる。
【０２７８】
また、画像表示部２８がＯＦＦ状態であっても、画像表示部２８をＯＮ状態にして、画像表示部２８に警告を表示することにより、撮影した画像が確実に保存できると勘違いしてシャッタースイッチ６４を誤って押してしまうことを防止することができる。
【０２７９】
また、情報処理装置３００との間で無線接続状態であり（ステップＳ１３１）、記録媒体２００が使用できない状態であり（ステップＳ１３４）、ＥＶＦ撮影状態であれば（ステップＳ１３５）、空撮り撮影を行う（ステップＳ１５１）。そして、レビュー表示を行って（ステップＳ１５４）、警告を行う（ステップＳ１５６）。これにより。撮影画像が記録媒体２００に記録されず、情報処理装置３００への転送完了前に無線切断が行われうるにも関わらず、撮像装置１００の使用者が撮影画像を確実に保存できると勘違いすることを防止することができる。
【０２８０】
そして、情報処理装置３００との間で無線接続状態であり（ステップＳ１８１）、リモートキャプチャー撮影動作状態であり（ステップＳ１８４）、記録媒体２００が使用できない状態である場合に（ステップＳ１９１）、以下の仕組みとする。すなわち、情報処理装置３００へのリモートキャプチャー静止画の画像１枚の画像転送が完了しなければ（ステップＳ１９４）、新たなリモートキャプチャー静止画の画像撮影を開始できない仕組みとする。これにより、リモートキャプチャー撮影時は無線接続での撮影であっても撮影禁止にしないと共に警告も行わないようにすることが可能となり、リモートキャプチャー時の操作性が煩雑になることを防止して使い易くすることができる。
【０２８１】
[第２の実施形態]
撮像装置１００を遠隔操作可能な外部情報処理装置３００としては、パソコンの他、遠隔操作用の操作部を備えたストレージ、遠隔操作用の操作部を備えたプリンタなどが考えられる。シャットダウンタイムは固定値でもよいし、ユーザが設定できるようにしてもよい。
【０２８２】
なお、シャットダウンタイム設定メニューに関して、処理モードが撮像装置１００を遠隔操作可能なモードすなわちオートシャットダウンを行わないモードである場合には、該当するメニュー項目をグレーアウト表示してもよい。
【０２８３】
オートシャットダウンを行うか否かの判断を行う際に、処理モードを調べるほかに、ユーザが設定可能なオートシャットダウンフラグを設け、それを利用してもよい。例えば、まず処理モードを判断し、撮像装置１００を遠隔操作不能な処理モードであった場合には（ステップＳ５０４）、更にオートシャットダウンフラグを調べる。そして、フラグが設定されていた場合のみオートシャットダウン処理（ステップＳ５０４）を実行するようにしてもよい。なお、オートシャットダウンフラグ設定メニューに関して、処理モードが撮像装置１００を遠隔操作可能なモードすなわちオートシャットダウンを行わないモードである場合には、該当するメニュー項目をグレーアウト表示してもよい。
【０２８４】
第１の実施形態では、接続が切断された場合には、処理モードが変化することによって（例えば再生モード処理（ステップＳ１１３）、動画モード処理（ステップＳ１１２）、撮影モード処理（ステップＳ１１１）に変化）オートシャットダウンが有効になる。しかしながら、処理モードを判別するステップの後に（ステップＳ５０３）、接続が確立されているか否かを判断するステップを設け、上記判別した処理モード及び接続の判断結果に基づいて、撮像装置１００の電源を自動的に切断してもよい。これらのステップを設けることによって、情報処理装置３００から撮像装置１００が遠隔操作される可能性のある処理モードであっても、接続が切断されている場合にはオートシャットダウンが有効となる。例えばリモートキャプチャーモード中に接続が切断された時点で、処理モードがリモートキャプチャーモードのまま変化しない場合でも、撮像装置１００が遠隔操作される可能性のないことを判別可能となるため、電力の浪費を更に抑制できる。
【０２８５】
記録媒体２００としては、ＰＣＭＣＩＡカードやコンパクトフラッシュ(登録商標)等のメモリカード、ハードディスク等だけでなく、マイクロＤＡＴ、光磁気ディスク、ＣＤ−ＲやＣＤ−ＲＷ等の光ディスク、ＤＶＤ等の相変化型光ディスク等で構成してもよい。
【０２８６】
また、記録媒体２００は、メモリカードとハードディスク等が一体となった複合媒体であってもよいし、さらに、その複合媒体から一部が着脱可能な構成であってもよい。
【０２８７】
上記の実施の形態においては、記録媒体２００は、撮像装置１００と分離していて任意に接続可能なものとして説明したが、少なくともいずれかの記録媒体が撮像装置１００に固定されていてもよい。
【０２８８】
また、撮像装置１００に記録媒体２００が、単数又は複数の任意の個数接続可能な構成であってもよい。
【０２８９】
上記の実施の形態に置いては、撮像装置１００に記録媒体２００が装着する構成として説明したが、記録媒体は単数又は複数の何れの組み合わせの構成であってもよい。
【０２９０】
また、本発明の目的は、前述した実施形態の機能を実現するソフトウェアのプログラムコードを記録した記憶媒体（または記録媒体）を、システムあるいは装置に供給する。そして、そのシステム又は装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけではない。そのプログラムコードの指示に基づき、コンピュータ上で稼動しているオペレーティングシステム（ＯＳ）などが実際の処理の一部または全部を行い、その処理によって前述した実施形態の機能が実現される場合も含まれることは言うまでもない。
【０２９１】
更に、記憶媒体から読み出されたプログラムコードが、まずコンピュータに挿入された機能拡張カードやコンピュータに接続された機能拡張ユニットに備わるメモリに書き込まれる。その後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０２９２】
なお、本発明は、以上の各実施形態、または、それら技術要素を必要に応じて組み合わせるようにしてもよい。
【０２９３】
また、本発明は、特許請求の範囲、または、実施の形態の構成の全部若しくは一部が、１つの装置を形成するものであっても、他の装置と結合するようなものであっても、装置を構成する要素となるようなものであってもよい。
【図面の簡単な説明】
【０２９４】
【図１】本発明の好適な第１の実施形態の全体構成ブロック図である。
【図２】本発明の好適な実施の形態に係る撮像装置の構成ブロック図である。
【図３】本発明の好適な実施の形態に係る情報処理装置の構成ブロック図である。
【図４】本発明の好適な実施の形態に係る撮像装置のタスク１ルーチンのフローチャートである。
【図５】本発明の好適な実施の形態に係る撮像装置の撮影同時転送ルーチンのフローチャートである。
【図６】本発明の好適な実施の形態に係る撮像装置の撮影同時転送ルーチンのフローチャートである。
【図７】本発明の好適な実施の形態に係る撮像装置のＰＣダイレクト転送ルーチンのフローチャートである。
【図８】本発明の好適な実施の形態に係る撮像装置のリモートキャプチャールーチンのフローチャートである。
【図９】本発明の好適な実施の形態に係る撮像装置の測距・測光処理ルーチンのフローチャートである。
【図１０】本発明の好適な実施の形態に係る撮像装置の撮影処理ルーチンのフローチャートである。
【図１１】本発明の好適な実施の形態に係る情報処理装置のメインルーチンのフローチャートである。
【図１２】本発明の好適な実施の形態に係る情報処理装置の撮影同時受信ルーチンのフローチャートである。
【図１３】本発明の好適な実施の形態に係る情報処理装置のＰＣダイレクト受信ルーチンのフローチャートである。
【図１４】本発明の好適な実施の形態に係る情報処理装置のリモートキャプチャー制御ルーチンのフローチャートである。
【図１５】本発明の好適な実施の形態に係る撮像装置のメインルーチンのフローチャートである。
【図１６】本発明の好適な実施の形態に係る撮像装置のタスク２ルーチンのフローチャートである。
【図１７】本発明の好適な実施の形態に係るオートシャットダウン処理ルーチンのフローチャートである。
【図１】
0004724510.tif 000002
【図２】
0004724510.tif 000003
【図３】
0004724510.tif 000004
【図４】
0004724510.tif 000005
【図５】
0004724510.tif 000006
【図６】
0004724510.tif 000007
【図７】
0004724510.tif 000008
【図８】
0004724510.tif 000009
【図９】
0004724510.tif 000010
【図１０】
0004724510.tif 000011
【図１１】
0004724510.tif 000012
【図１２】
0004724510.tif 000013
【図１３】
0004724510.tif 000014
【図１４】
0004724510.tif 000015
【図１５】
0004724510.tif 000016
【図１６】
0004724510.tif 000017
【図１７】
0004724510.tif 000018